(57)【特許請求の範囲】
【請求項１】
距離が長い方の拡大側の共役点と距離が短い方の縮小側の共役点との共役関係を形成する結像光学系であって、
前記結像光学系は、拡大側から順に、
負の屈折力を有する第１レンズ群と、
正の屈折力を有する第２レンズ群と、
負の屈折力を有する第３レンズ群と、
正の屈折力を有する第４レンズ群と、から構成され、
前記第１レンズ群は、最も拡大側に位置する第１の負レンズと、最も縮小側に位置する第１の接合レンズと、を有し、
前記第２レンズ群は、拡大側から順に、最も拡大側に位置する第２の接合レンズと、１枚又は複数枚の正レンズ成分と、最も縮小側に位置する第３の接合レンズと、を有し、
前記レンズ成分は、光路中にて拡大側面と縮小側面のみが空気に接するレンズブロックであって、
前記第１の接合レンズは最も縮小側に負レンズを有し、最も縮小側の面が縮小側に凹面を向けており、
前記第２の接合レンズは正の屈折力を有し、最も拡大側の面が拡大側に凹面を向けており、
前記第３の接合レンズは正の屈折力を有し、縮小側に負レンズを有し、
フォーカスの際、前記第３レンズ群は、前記第２レンズ群との間隔および前記第４レンズ群との間隔が変化するように、光軸方向に移動することを特徴とする結像光学系。
【請求項２】
以下の条件式（１）を満足することを特徴とする請求項１に記載の結像光学系。
１＜Ｍ4#3G／Ｍ4#4G＜１００      （１）
ここで、
Ｍ4#3Gは、前記第３レンズ群の無限遠物体合焦時の横倍率、
Ｍ4#4Gは、前記第４レンズ群の無限遠物体合焦時の横倍率、
である。
【請求項３】
前記第１の負レンズはメニスカスレンズであることを特徴とする請求項１又は２に記載の結像光学系。
【請求項４】
以下の条件式（２）を満足することを特徴とする請求項１から３のいずれか１項に記載の結像光学系。
０．１＜（ＲN1F＋ＲN1R）／（ＲN1F−ＲN1R）＜１０      （２）
ここで、
ＲN1Fは、前記第１の負レンズの拡大側面の近軸曲率半径、
ＲN1Rは、前記第１の負レンズの縮小側面の近軸曲率半径、
である。
【請求項５】
以下の条件式（３）を満足することを特徴とする請求項１から４のいずれか１項に記載の結像光学系。
０．１＜（Ｒ3GF＋Ｒ3GR）／（Ｒ3GF−Ｒ3GR）＜１０      （３）
ここで、
Ｒ3GFは、前記第３レンズ群において最も拡大側に位置する面の近軸曲率半径、
Ｒ3GRは、前記第３レンズ群において最も縮小側に位置する面の近軸曲率半径、
である。
【請求項６】
前記第４レンズ群は、正レンズを含み、２枚以上のレンズからなることを特徴とする請求項１から５のいずれか１項に記載の結像光学系。
【請求項７】
前記第２レンズ群内に、開口絞りを有することを特徴とする請求項１から６のいずれか１項に記載の結像光学系。
【請求項８】
以下の条件式（４）を満足することを特徴とする請求項１から７のいずれか１項に記載の結像光学系。
−１０＜ｆ3G／ｆ4G＜−０．１      （４）
ここで、
ｆ3Gは、前記第３レンズ群の焦点距離、
ｆ4Gは、前記第４レンズ群の焦点距離、
である。
【請求項９】
前記第１レンズ群は所定のレンズ群であり、
前記第２の接合レンズは、前記所定のレンズ群よりも縮小側に、前記所定のレンズ群と隣接して位置し、
以下の条件式（５）を満足することを特徴とする請求項１から８のいずれか１項に記載の結像光学系。
−２＜（ＲNGR＋ＲC2F）／（ＲNGR−ＲC2F）＜８      （５）
ここで、
ＲNGRは、前記所定のレンズ群において最も縮小側に位置する面の近軸曲率半径、
ＲC2Fは、前記第２の接合レンズにおいて最も拡大側に位置する面の近軸曲率半径、
である。
【請求項１０】
前記第２の接合レンズに対して最も近くに位置する第１の正レンズを有し、
以下の条件式（６）を満足することを特徴とする請求項１から９のいずれか１項に記載の結像光学系。
０．０１＜（ＲP1F＋ＲP1R）／（ＲP1F−ＲP1R）＜５      （６）
ここで、
ＲP1Fは、前記第１の正レンズの拡大側面の近軸曲率半径、
ＲP1Rは、前記第１の正レンズの縮小側面の近軸曲率半径、
である。
【請求項１１】
前記第２レンズ群において最も拡大側に位置する接合レンズは、前記第２の接合レンズであり、
以下の条件式（７）を満足することを特徴とする請求項１から１０のいずれか１項に記載の結像光学系。
−４５＜（ＲC2F＋ＲC2R）／（ＲC2F−ＲC2R）＜６５      （７）
ここで、
ＲC2Fは、前記第２の接合レンズにおいて最も拡大側に位置する面の近軸曲率半径、
ＲC2Rは、前記第２の接合レンズにおいて最も縮小側に位置する面の近軸曲率半径、
である。
【請求項１２】
前記第１レンズ群において最も縮小側に位置する接合レンズは、前記第１の接合レンズであり、
以下の条件式（８）を満足することを特徴とする請求項１から１１のいずれか１項に記載の結像光学系。
−１０＜（ＲC1F＋ＲC1R）／（ＲC1F−ＲC1R）＜４５      （８）
ここで、
ＲC1Fは、前記第１の接合レンズにおいて最も拡大側に位置する面の近軸曲率半径、
ＲC1Rは、前記第１の接合レンズにおいて最も縮小側に位置する面の近軸曲率半径、
である。
【請求項１３】
前記第１レンズ群は所定のレンズ群であり、
以下の条件式（９）を満足することを特徴とする請求項１から１２のいずれか１項に記載の結像光学系。
−５＜（ＲNGF＋ＲNGR）／（ＲNGF−ＲNGR）＜１７      （９）
ここで、
ＲNGFは、前記所定のレンズ群において最も拡大側に位置する面の近軸曲率半径、
ＲNGRは、前記所定のレンズ群において最も縮小側に位置する面の近軸曲率半径、
である。
【請求項１４】
前記第１の接合レンズは、拡大側から順に、正レンズと負レンズとで構成され、
前記第２の接合レンズ、１枚又は複数枚の前記正レンズ成分及び前記第３の接合レンズは、拡大側からこの順に配置され、
前記第３レンズ群は、１枚又は複数枚の負レンズ成分で構成されており、
前記第４レンズ群は、最も拡大側に正レンズを有することを特徴とする請求項１から１３のいずれか１項に記載の結像光学系。
【請求項１５】
前記第４レンズ群は最も拡大側に第２の正レンズを有し、
以下の条件式（１０）を満足することを特徴とする請求項１から１４のいずれか１項に記載の結像光学系。
０＜（ＲP2F＋ＲP2R）／（ＲP2F−ＲP2R）＜１      （１０）
ここで、
ＲP2Fは、前記第２の正レンズの拡大側面の近軸曲率半径、
ＲP2Rは、前記第２の正レンズの縮小側面の近軸曲率半径、
である。
【請求項１６】
以下の条件式（１１）を満足することを特徴とする請求項１から１５のいずれか１項に記載の結像光学系。
０．８＜ＦＢ／ｆR＜１．８      （１１）
ここで、
ＦＢは、前記結像光学系におけるバックフォーカス、
ｆRは、前記第２レンズ群から前記第４レンズ群までのレンズ群の合成焦点距離、
である。
【請求項１７】
以下の条件式（Ａ）を満足することを特徴とする請求項１から１６のいずれか１項に記載の結像光学系。
０＜ｆ／ｅN1F＜２      （Ａ）
ここで、
ｆは、無限遠物体合焦時の前記結像光学系全系の焦点距離、
ｅN1Fは、前記第１の負レンズの拡大側面の最大有効口径、
である。
【請求項１８】
以下の条件式（Ｂ）を満足することを特徴とする請求項１から１７のいずれか１項に記載の結像光学系。
０＜（ｆ／ｅAS）／Ｆｎｏ＜２      （Ｂ）
ここで、
ｆは、無限物体合焦時の前記結像光学系全系の焦点距離、
ｅASは、前記開口絞りの最大直径、
Ｆｎｏは、無限物体合焦時の前記結像光学系全系のＦナンバー、
である。
【請求項１９】
以下の条件式（Ｃ）を満足することを特徴とする請求項１から１８のいずれか１項に記載の結像光学系。
０＜Ｔair_max／Σｄ≦０．２７      （Ｃ）
ここで、
Ｔair_maxは、前記結像光学系の最も拡大側に位置する面から最も縮小側に位置する面までの間で最も大きい軸上空気間隔、
Σｄは、前記結像光学系の最も拡大側に位置する面から最も縮小側に位置する面までの軸上距離、
である。
【請求項２０】
前記第３レンズ群を第１の合焦レンズ群とし、
前記第４レンズ群中の一部のレンズ群を第２の合焦レンズ群とし、
前記フォーカスの際、前記第１の合焦レンズ群の移動に加え、前記第２の合焦レンズ群が前記第１の合焦レンズ群との距離を変えて移動することを特徴とする請求項１に記載の結像光学系。
【請求項２１】
前記第３レンズ群を第１の合焦レンズ群とし、
前記第１の合焦レンズ群は、前記第３の接合レンズよりも縮小側に配置され、前記フォーカスの際に前記結像光学系の光軸に沿って移動し、且つ、負の屈折力を有することを特徴とする請求項１から２０のいずれか１項に記載の結像光学系。
【請求項２２】
前記第１の合焦レンズ群が以下の条件式（Ｄ）を満足することを特徴とする請求項２１に記載の結像光学系。
０＜（ＲF1F＋ＲF1R）／（ＲF1F−ＲF1R）＜５      （Ｄ）
ここで、
ＲF1Fは、前記第１の合焦レンズ群において最も拡大側に位置する面の近軸曲率半径、
ＲF1Rは、前記第１の合焦レンズ群において最も縮小側に位置する面の近軸曲率半径、
である。
【請求項２３】
拡大側に位置する無限遠物体にフォーカスした状態から近距離物体へのフォーカスの際に、前記第１の合焦レンズ群は縮小側に移動し、且つ、
以下の条件式（Ｅ）を満足することを特徴とする請求項２０から２２のいずれか１項に記載の結像光学系。
−１＜ＭF1／ｆ＜０      （Ｅ）
ここで、
ＭF1は、前記第１の合焦レンズ群における前記フォーカスの際の前記光軸方向に沿った最大移動量、
ｆは、無限遠物体合焦時の前記結像光学系全系の焦点距離、
である。
【請求項２４】
第２の合焦レンズ群を有し、
前記第２の合焦レンズ群は、前記第１の合焦レンズ群よりも縮小側に配置され、前記フォーカスの際に前記第１の合焦レンズ群との距離を変えながら前記結像光学系の光軸に沿って移動し、且つ、正の屈折力を有することを特徴とする請求項２１から２３のいずれか１項に記載の結像光学系。
【請求項２５】
前記第１の合焦レンズ群と前記第２の合焦レンズ群は、各々、多くとも２枚のレンズからなることを特徴とする請求項２４に記載の結像光学系。
【請求項２６】
拡大側に位置する無限遠物体にフォーカスした状態から近距離物体へのフォーカスの際に、前記第１の合焦レンズ群は縮小側に移動し、
拡大側に位置する無限遠物体にフォーカスした状態から近距離物体へのフォーカスの際に、前記第２の合焦レンズ群は拡大側に移動し、且つ、
前記第１の合焦レンズ群と前記第２の合焦レンズ群は、前記フォーカスの際に以下の条件式（Ｆ）を満足することを特徴とする請求項２４または２５に記載の結像光学系。
０＜ＭF2／ＭF1＜１．５      （Ｆ）
ここで、
ＭF1は、前記第１の合焦レンズ群における前記フォーカスの際の前記光軸方向に沿った最大移動量、
ＭF2は、前記第２の合焦レンズ群における前記フォーカスの際の前記光軸方向に沿った最大移動量、
である。
【請求項２７】
前記第１の合焦レンズ群と前記第２の合焦レンズ群は以下の条件式（Ｇ）を満足することを特徴とする請求項２４から２６のいずれか１項に記載の結像光学系。
−３＜ｆF1／ｆF2＜−０．５      （Ｇ）
ここで、
ｆF1は、前記第１の合焦レンズ群の焦点距離、
ｆF2は、前記第２の合焦レンズ群の焦点距離、
である。
【請求項２８】
前記第１の合焦レンズ群と前記第２の合焦レンズ群は以下の条件式（Ｈ）を満足することを特徴とする請求項２４から２７のいずれか１項に記載の結像光学系。
５＜βF1／βF2＜５０      （Ｈ）
ここで、
βF1は、無限遠物体合焦時の前記第１の合焦レンズ群の横倍率、
βF2は、無限遠物体合焦時の前記第２の合焦レンズ群の横倍率、
である。
【請求項２９】
前記第１の接合レンズが３枚のレンズを含む接合レンズであることを特徴とする請求項１から２８のいずれか１項に記載の結像光学系。
【請求項３０】
前記第３レンズ群は、複数のレンズからなることを特徴とする請求項１から２８のいずれか１項に記載の結像光学系。
【請求項３１】
前記第３レンズ群は、接合レンズからなることを特徴とする請求項３０に記載の結像光学系。
【請求項３２】
前記第４レンズ群は、正レンズを含む接合レンズを有することを特徴とする請求項１から２８のいずれか１項に記載の結像光学系。
【請求項３３】
前記第４レンズ群中の前記正レンズを含む接合レンズが、フォーカスの際に他の合焦レンズ群との距離を変化させながら移動することを特徴とする請求項３２に記載の結像光学系。
【請求項３４】
光学系と、縮小側に配置された撮像素子と、を有し、
前記撮像素子は撮像面を有し、且つ前記光学系によって前記撮像面上に形成された像を電気信号に変換し、
前記光学系が請求項１から３３のいずれか１項に記載の結像光学系であることを特徴とする光学装置。
【請求項３５】
光学系と、縮小側に配置された表示素子と、を有し、
前記表示素子は表示面を有し、
前記表示面上に表示された画像は、前記光学系によって拡大側に投影され、
前記光学系が請求項１から３３のいずれか１項に記載の結像光学系であることを特徴とする光学装置。
【発明の詳細な説明】
【技術分野】
【０００１】
本発明は、結像光学系及びそれを備えた光学装置に関する。
【背景技術】
【０００２】
６０°前後から５０°前後の画角を有する撮影レンズとして、広角レンズや標準レンズ（以下、「広角撮影レンズ」という）がある。広角撮影レンズの光学系には、従来、レトロフォーカスタイプの光学系又はガウスタイプの光学系が広く用いられてきた。【０００３】
レトロフォーカスタイプの光学系は、負の屈折力を有する前群と正の屈折力を有する後群とから構成されている。レトロフォーカスタイプの光学系は、十分な長さのバックフォーカスが確保できるという特徴を有している。【０００４】
一方、ガウスタイプの光学系は、特徴的な一組の接合レンズを有する。一方の接合レンズは、最も像側に負レンズを有し、最も像側の面が像側に凹面を向けている。また、他方の接合レンズは、最も物体側の面が物体側に凹面を向けている。【０００５】
ガウスタイプの光学系を２つの群に分けると、一方の接合レンズから物体側の群（以下、「物体側群」という）と他方の接合レンズから像側の群（以下、「像側群」という）とに分けることができる。【０００６】
なお、ガウスタイプの光学系では、屈折力の重心が光学系の像側寄りにある。すなわち、ガウスタイプの光学系では、物体側群の屈折力と像側群の屈折力は共に正の屈折力であるが、物体側群よりも像側群の方で屈折力が大きくなっている。【０００７】
従来の広角撮影レンズの光学系では、画角が広くなるほど、屈折力配置が非対称になる傾向が強くなる。そのため、従来の広角撮影レンズの光学系では、画角が広くなるほど、コマ収差、非点収差及び倍率色収差が悪化し易い。なお、屈折力配置とは、正の屈折力と負の屈折力の並び方のことである。【０００８】
また、従来の広角撮影レンズの光学系では、Ｆナンバーが小さくなるほど、相対的にレンズ面の曲率が大きくなる。そのため、従来の広角撮影レンズの光学系では、Ｆナンバーが小さくなるほど、球面収差、コマ収差及び軸上色収差が多く発生する傾向があった。【０００９】
また、従来の広角撮影レンズの光学系では、正の屈折力を有する後群の有効口径が大型化するといった問題もあった。【００１０】
これらの問題を解決した広角撮影レンズが、各種提案されている。提案されている広角撮影レンズでは、Ｆナンバーが１．４程度になっている。画角が広くＦナンバーが小さい広角撮影レンズの光学系として、特許文献１〜６に開示された光学系がある。
【先行技術文献】
【特許文献】
【００１１】
【特許文献１】特開２０１２−２２６３０９号公報
【特許文献２】特開２００４−１０１８８０号公報
【特許文献３】特開２００９−１０９７２３号公報
【特許文献４】特開２０１０−０３９３４０号公報
【特許文献５】特開２０１０−０９７２０７号公報
【特許文献６】特開２０１１−０５９２９０号公報
【発明の概要】
【発明が解決しようとする課題】
【００１２】
特許文献１や特許文献２の光学系ではＦナンバーが１．２４であるため、Ｆナンバーが小さい光学系が実現できている。しかしながら、画角が６３．６°であるため、特許文献１や特許文献２の光学系では、画角が十分に広い光学系が実現できていない。【００１３】
また、特許文献３、特許文献４、特許文献５及び特許文献６の光学系では、Ｆナンバーが１．４であるが、これ以上Ｆナンバーを小さくしようとするか、又は画角を広くしようとすると、上述した諸収差の補正がさらに困難となる。【００１４】
本発明は、このような課題に鑑みてなされたものであって、広い画角と小さいＦナンバーを有しながらも、諸収差が良好に補正された結像光学系及びそれを備えた光学装置を提供することを目的とする。
【課題を解決するための手段】
【００１５】
上述した課題を解決し、目的を達成するために、本発明の結像光学系は、
距離が長い方の拡大側の共役点と距離が短い方の縮小側の共役点との共役関係を形成する結像光学系であって、
結像光学系は、拡大側から順に、
負の屈折力を有する第１レンズ群と、
正の屈折力を有する第２レンズ群と、
負の屈折力を有する第３レンズ群と、
正の屈折力を有する第４レンズ群と、から構成され、
第１レンズ群は、最も拡大側に位置する第１の負レンズと、最も縮小側に位置する第１の接合レンズと、を有し、
第２レンズ群は、拡大側から順に、最も拡大側に位置する第２の接合レンズと、１枚又は複数枚の正レンズ成分と、最も縮小側に位置する第３の接合レンズと、を有し、
レンズ成分は、光路中にて拡大側面と縮小側面のみが空気に接するレンズブロックであって、
第１の接合レンズは最も縮小側に負レンズを有し、最も縮小側の面が縮小側に凹面を向けており、
第２の接合レンズは正の屈折力を有し、最も拡大側の面が拡大側に凹面を向けており、
第３の接合レンズは正の屈折力を有し、縮小側に負レンズを有し、
フォーカスの際、第３レンズ群は、第２レンズ群との間隔および第４レンズ群との間隔が変化するように、光軸方向に移動することを特徴とする。
【００１６】
また、本発明の光学装置は、
光学系と、縮小側に配置された撮像素子と、を有し、
撮像素子は撮像面を有し、且つ光学系によって撮像面上に形成された像を電気信号に変換し、
光学系が上述の結像光学系であることを特徴とする。【００１７】
また、本発明の光学装置は、
光学系と、縮小側に配置された表示素子と、を有し、
表示素子は表示面を有し、
表示面上に表示された画像は、光学系によって拡大側に投影され、
光学系が上述の結像光学系であることを特徴とする。
【発明の効果】
【００１８】
本発明によれば、広い画角と小さいＦナンバーを有しながらも、諸収差が良好に補正された結像光学系及びそれを備えた光学装置を提供することができる。
【図面の簡単な説明】
【００１９】
【図１】実施例１に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図２】実施例２に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図３】実施例３に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図４】実施例４に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図５】実施例５に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図６】実施例６に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図７】実施例７に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図８】実施例８に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図９】実施例９に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図１０】実施例１０に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図１１】実施例１１に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図１２】実施例１２に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図１３】実施例１３に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図１４】実施例１４に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図１５】実施例１５に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図１６】実施例１６に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図１７】実施例１７に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図１８】実施例１８に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図１９】実施例１９に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図２０】実施例２０に係る結像光学系の断面図と収差図であって、（ａ）は、無限遠物体合焦時のレンズ断面図、（ｂ）、（ｃ）、（ｄ）及び（ｅ）は、無限遠物体合焦時の収差図である。
【図２１】撮像装置の断面図である。
【図２２】撮像装置の外観を示す前方斜視図である。
【図２３】撮像装置の後方斜視図である。
【図２４】撮像装置の主要部の内部回路の構成ブロック図である。
【図２５】投影装置の断面図である。
【発明を実施するための形態】
【００２０】
以下に、本発明に係る結像光学系及びそれを備えた光学装置の実施形態及び実施例を、図面に基づいて詳細に説明する。なお、この実施形態及び実施例によりこの発明が限定されるものではない。
【００２１】
本実施形態の結像光学系は、距離が長い方の拡大側の共役点と距離が短い方の縮小側の共役点との共役関係を形成する結像光学系であって、結像光学系は、拡大側から順に、負の屈折力を有する第１レンズ群と、正の屈折力を有する第２レンズ群と、負の屈折力を有する第３レンズ群と、正の屈折力を有する第４レンズ群と、から構成され、第１レンズ群は、最も拡大側に位置する第１の負レンズと、最も縮小側に位置する第１の接合レンズと、を有し、第２レンズ群は、拡大側から順に、第２の接合レンズと、１枚又は複数枚の正レンズ成分と、第３の接合レンズと、を有し、レンズ成分は、光路中にて拡大側面と縮小側面のみが空気に接するレンズブロックであって、第１の接合レンズは最も縮小側に負レンズを有し、最も縮小側の面が縮小側に凹面を向けており、第２の接合レンズは正の屈折力を有し、最も拡大側の面が拡大側に凹面を向けており、第３の接合レンズは正の屈折力を有し、縮小側に負レンズを有することを特徴とする。なお、レンズ成分の概念には、単レンズ、接合レンズ、複合レンズが含まれる。
【００２２】
本実施形態の結像光学系の説明では、所定のレンズ群を用いて説明する。所定のレンズ群は、負の屈折力を有し、最も拡大側に位置するレンズから第１の接合レンズまでの間にあるすべてのレンズで構成されている。よって、所定のレンズ群は第１レンズ群に対応する。
【００２３】
本願実施形態の結像光学系とガウスタイプの光学系とを比較しながら、本願実施形態の結像光学系について説明する。以下の説明では、拡大側に物体側が対応し、縮小側に像側が対応する。
【００２４】
上述のように、ガウスタイプの光学系は、特徴的な一組の接合レンズを備えている。ここで、一方の接合レンズは、最も像側に負レンズを有し、最も像側の面が像側に凹面を向けている。
【００２５】
一方、本実施形態の結像光学系も、特徴的な一組の接合レンズ、すなわち、第１の接合レンズと第２の接合レンズとを備えている。ここで、第１の接合レンズは最も縮小側に負レンズを有し、最も縮小側の面が縮小側に凹面を向けている。よって、第１の接合レンズが一方の接合レンズに対応する。
【００２６】
また、ガウスタイプの光学系では、物体側群が一方の接合レンズを含んでいる。これに対して、本実施形態の結像光学系では、所定のレンズ群が第１の接合レンズを含んでいる。よって、所定のレンズ群が物体側群に対応する。
【００２７】
上述のように、ガウスタイプの光学系では、物体側群よりも像側群の方で屈折力が大きくなっている。ただし、物体側群の屈折力も像側群の屈折力も、共に正の屈折力である。
【００２８】
これに対して、本実施形態の結像光学系では、所定のレンズ群は負の屈折力を有している。屈折力の配分状態をガウスタイプの光学系で例えると、本実施形態の結像光学系では、物体側群に負の屈折力が配分されている状態になっている。
【００２９】
このように、所定のレンズ群は、ガウスタイプの光学系において、正の屈折力から負の屈折力に屈折力をシフトさせたときの物体側群ということができる。なお、シフトさせる屈折力は、弱い正の屈折力であっても良い。但し、この場合の屈折力は、ガウスタイプの光学系における物体側群の屈折力よりも弱い屈折力である。
【００３０】
また、ガウスタイプの光学系は、画角が５０°程度までであれば、Ｆナンバーが１．４程度であっても収差補正のポテンシャルが極めて高い光学系である。この収差補正に対するポテンシャルの高さは、特徴的な一組の接合レンズに基づいている。
【００３１】
ここで、本実施形態の結像光学では、ガウスタイプの光学系に対して、物体側群における屈折力シフトと像側群における正の屈折力の増大を行った構成を採用している。そのため、本実施形態の結像光学はガウスタイプの光学系とは異なる。
【００３２】
しかしながら、本実施形態の結像光学系も、特徴的な一組の接合レンズを備えている。よって、本実施形態の結像光学系は、収差補正のポテンシャルが極めて高い光学系をベースにしている。そのため、本実施形態の結像光学系では、諸収差を良好に補正しつつ、（Ｉ）Ｆナンバーを小さくすること、すなわち、光学系において十分な明るさを確保すること、（ＩＩ）十分な長さのバックフォーカスを確保しつつ、結像光学系全系の焦点距離を短くすること、（ＩＩＩ）十分な広さの画角を確保すること、ができる。
【００３３】
なお、物体側群における屈折力シフトとは、ガウスタイプの光学系において、物体側群の屈折力を、本来の正の屈折力から負の屈折力にシフトさせることである。また、像側群における正の屈折力の増大とは、ガウスタイプの光学系において、像側群の正の屈折力を本来の屈折力より大きくすることである。
【００３４】
また、物体側群における屈折力シフトを実施すると、像側群で主光線の高さが著しく高くなる。その結果、像側群での収差が悪化する。この収差の悪化を避けるためには、他方の接合レンズよりも像側に、開口絞りを移動させることが好ましい。
【００３５】
上述のように、本実施形態の結像光学系でも、所定のレンズ群が負の屈折力を有している。そこで、像側群での収差が悪化を避けるために、本実施形態の結像光学系においても、第２の接合レンズよりも縮小側に、開口絞りを位置させることが好ましい。
【００３６】
上述のように、本実施形態の結像光学系は、ガウスタイプの光学系をベースにしている。よって、本実施形態の結像光学系も、収差補正のポテンシャルが極めて高い光学系になっている。このようなことから、第２の接合レンズよりも縮小側に開口絞りを位置させても、収差の悪化をある程度は防ぐことができる。
【００３７】
しかしながら、第２の接合レンズよりも縮小側に開口絞りを位置させると、特徴的な一組の接合レンズに対する開口絞りの位置が、ガウスタイプの光学系と異なってしまう。そのため、第２の接合レンズよりも縮小側に開口絞りを位置させた場合、収差をより高いレベルで補正することは難しい。
【００３８】
そこで、本実施形態の結像光学系では、第３の接合レンズを新たに設けている。この第３の接合レンズは、縮小側に負レンズを有する。例えば、この負レンズに正レンズを組み合わせることで、第３の接合レンズにアプラナティック色消しレンズの役目を持たせることができる。
【００３９】
このように、第１の接合レンズと第２の接合レンズに加え、第３の接合レンズを設けることで、本実施形態の結像光学系では、特に収差補正が困難となる球面収差、コマ収差、軸上色収差及び倍率色収差を、満足できるレベルまで補正することができる。
【００４０】
その結果、本実施形態の結像光学系によれば、広い画角と小さいＦナンバーを有しながらも、諸収差が良好に補正された結像光学系を実現することができる。なお、広い画角とは、例えば７０°以上の画角で、小さいＦナンバーとは、例えば、１．２程度である。
【００４１】
なお、上述のように、本実施形態の結像光学系は、収差補正のポテンシャルが極めて高い光学系である。本実施形態の結像光学系では、以下の構成を備えることで、この極めて高い収差補正のポテンシャルを得ている。第１レンズ群は、最も拡大側に位置する第１の負レンズと、最も縮小側に位置する第１の接合レンズと、を有する。第２レンズ群は、拡大側から順に、第２の接合レンズと、１枚又は複数枚の正レンズ成分と、第３の接合レンズと、を有する。
【００４２】
また、本実施形態の結像光学系では、第２の接合レンズよりも縮小側に、開口絞りを位置させている。この場合、開口絞りは第２レンズ群内に配置することが好ましい。
【００４３】
また、本実施形態の結像光学系のより具体的な構成は以下のようになる。結像光学系は、拡大側から順に、負の屈折力を有する第１レンズ群と、正の屈折力を有する第２レンズ群と、負の屈折力を有する第３レンズ群と、正の屈折力を有する第４レンズ群と、から構成されている。そして、第１レンズ群の屈折力を、ガウスタイプの光学系における正の屈折力から負の屈折力にシフトさせる一方で、第２レンズ群に、ガウスタイプの光学系に比べて、より大きな正の屈折力を与えている。
【００４４】
また、第１の接合レンズは最も縮小側に負レンズを有し、最も縮小側の面が縮小側に凹面を向けている。また、第２の接合レンズは正の屈折力を有し、最も拡大側の面が拡大側に凹面を向けている。また、第３の接合レンズは正の屈折力を有し、縮小側に負レンズを有する。また、レンズ成分は、光路中にて拡大側面と縮小側面のみが空気に接するレンズブロックである。
【００４５】
なお、各接合レンズのより好ましい構成は、次のとおりである。第１の接合レンズは、拡大側から順に、正レンズと負レンズとで構成され、最も縮小側の面が縮小側に凹面を向けている。第２の接合レンズは、負レンズと正レンズとで構成され、最も拡大側の面が拡大側に凹面を向けている。また、第３の接合レンズは、拡大側から順に、正レンズと負レンズとで構成されている。
【００４６】
また、本実施形態の結像光学系では、以下の条件式（１）を満足することが好ましい。
１＜Ｍ4#3G／Ｍ4#4G＜１００      （１）
ここで、
Ｍ4#3Gは、第３レンズ群の無限遠物体合焦時の横倍率、
Ｍ4#4Gは、第４レンズ群の無限遠物体合焦時の横倍率、
である。
【００４７】
上述のように、本実施形態の結像光学では、ガウスタイプの光学系に対して、物体側群における屈折力シフトと像側群における正の屈折力の増大を行った構成を採用している。ここで、特に、口径比が大きい光学系ならではの要求として、球面収差、コマ収差および非点収差に関する高いレベルでの補正がある。
【００４８】
そこで、この高いレベルでの収差補正を実現するために、所定のレンズ群よりも縮小側を、正の屈折力を有する第２レンズ群と、負の屈折力を有する第３レンズ群と、正の屈折力を有する第４レンズ群とで構成している。このように、所定のレンズ群よりも縮小側を、２つの正の屈折力の間に負の屈折力が存在するという形にして、屈折力を明確に分割している。
【００４９】
そして、光学系全体として、負の屈折力、正の屈折力、負の屈折力及び正の屈折力の４つのレンズ群からなる構成をとっている。その結果、広い画角と小さいＦナンバーを有しながらも、諸収差が良好に補正された結像光学系を実現できる。
【００５０】
そして、負の屈折力を有する第３レンズ群と正の屈折力を有する第４レンズ群との関係において、条件式（１）を満足することが好ましい。
【００５１】
条件式（１）の上限値を上回ると、必要な長さのバックフォーカスを確保することが困難になる。一方、条件式（１）の下限値を下回ると、球面収差、コマ収差及び非点収差のそれぞれを、満足できるレベルまで補正することが困難になる。
【００５２】
なお、条件式（１）に代えて、以下の条件式（１’）を満足すると良い。
３＜Ｍ4#3G／Ｍ4#4G＜２０      （１’）
さらに、条件式（１）に代えて、以下の条件式（１’’）を満足するとなお良い。
４．９＜Ｍ4#3G／Ｍ4#4G＜１５      （１’’）
【００５３】
また、本実施形態の結像光学系では、第１の負レンズはメニスカスレンズであることが好ましい。
【００５４】
上述のように、本実施形態の結像光学系では、所定のレンズ群に負の屈折力を持たせている。そのためには、特に最も拡大側に位置するレンズを負レンズにすることが好ましい。ただし、最も拡大側に配置した負レンズは、他の位置に配置した負レンズに比べて、軸外収差の発生量に対する影響が大きい。そこで、負レンズの形状をメニスカス形状にすることで、軸外収差の悪化を防止することができる。その結果、広い画角と小さいＦナンバーを有しながらも、諸収差が良好に補正された結像光学系を実現できる。
【００５５】
また、本実施形態の結像光学系では、以下の条件式（２）を満足することが好ましい。
０．１＜（ＲN1F＋ＲN1R）／（ＲN1F−ＲN1R）＜１０      （２）
ここで、
ＲN1Fは、第１の負レンズの拡大側面の近軸曲率半径、
ＲN1Rは、第１の負レンズの縮小側面の近軸曲率半径、
である。
【００５６】
条件式（２）を満足することで、軸外収差の悪化を防止することができる。
【００５７】
条件式（２）の上限値を上回ると、非点収差又はコマ収差が悪化し易い。よって、条件式（２）の上限値を上回ることは好ましくない。一方、条件式（２）の下限値を下回ると、樽型歪曲収差が大きくなり易い。
【００５８】
なお、条件式（２）に代えて、以下の条件式（２’）を満足すると良い。
０．５＜（ＲN1F＋ＲN1R）／（ＲN1F−ＲN1R）＜４      （２’）
さらに、条件式（２）に代えて、以下の条件式（２’’）を満足するとなお良い。
０．９＜（ＲN1F＋ＲN1R）／（ＲN1F−ＲN1R）＜２．５      （２’’）
【００５９】
また、本実施形態の結像光学系では、以下の条件式（３）を満足することが好ましい。
０．１＜（Ｒ3GF＋Ｒ3GR）／（Ｒ3GF−Ｒ3GR）＜１０      （３）
ここで、
Ｒ3GFは、第３レンズ群において最も拡大側に位置する面の近軸曲率半径、
Ｒ3GRは、第３レンズ群において最も縮小側に位置する面の近軸曲率半径、
である。
【００６０】
上述のように、本実施形態の結像光学では、ガウスタイプの光学系に対して、物体側群における屈折力シフトと像側群における正の屈折力の増大を行った構成を採用している。ここで、特に、口径比が大きい光学系ならではの要求として、球面収差、コマ収差および非点収差に関する高いレベルでの補正がある。
【００６１】
そこで、この高いレベルでの収差補正を実現するために、所定のレンズ群よりも縮小側を、正の屈折力を有する第２レンズ群と、負の屈折力を有する第３レンズ群と、正の屈折力を有する第４レンズ群とで構成している。このように、所定のレンズ群よりも縮小側を、２つの正の屈折力の間に負の屈折力が存在するという形にして、屈折力を明確に分割している。
【００６２】
そして、光学系全体として、負の屈折力、正の屈折力、負の屈折力及び正の屈折力の４つのレンズ群からなる構成をとっている。その結果、広い画角と小さいＦナンバーを有しながらも、諸収差が良好に補正された結像光学系を実現できる。
【００６３】
特に、負の屈折力を有する第３レンズ群の構成や形状は、第１レンズ群や第２レンズ群に比べて、球面収差の発生量、コマ収差の発生量及び非点収差の発生量に対する影響が大きい。すなわち、負の屈折力を有する第３レンズ群の構成や形状は、これらの収差の補正レベルの同時満足度に対する影響が大きい。
【００６４】
そこで、条件式（３）を満足することが好ましい。条件式（３）を満足することで、球面収差、コマ収差及び非点収差を、同時に、満足できるレベルに補正することができる。
【００６５】
条件式（３）の上限値を上回ると、球面収差に対する補正効果が低下する。一方、条件式（３）の下限値を下回ると、非点収差やコマ収差に対する補正効果が低下する。よって、条件式（３）の下限値を下回ることは好ましくない。
【００６６】
なお、条件式（３）に代えて、以下の条件式（３’）を満足すると良い。
０．５＜（Ｒ3GF＋Ｒ3GR）／（Ｒ3GF−Ｒ3GR）＜５      （３’）
さらに、条件式（３）に代えて、以下の条件式（３’’）を満足するとなお良い。
０．７＜（Ｒ3GF＋Ｒ3GR）／（Ｒ3GF−Ｒ3GR）＜２．８      （３’’）
【００６７】
また、本実施形態の結像光学系では、第４レンズ群は、正レンズを含み、２枚以上のレンズからなることが好ましい。
【００６８】
上述のように、本実施形態の結像光学では、ガウスタイプの光学系に対して、物体側群における屈折力シフトと像側群における正の屈折力の増大を行った構成を採用している。ここで、特に、口径比が大きい光学系ならではの要求として、球面収差、コマ収差および非点収差に関する高いレベルでの補正がある。
【００６９】
そこで、この高いレベルでの収差補正を実現するために、所定のレンズ群よりも縮小側を、正の屈折力を有する第２レンズ群と、負の屈折力を有する第３レンズ群と、正の屈折力を有する第４レンズ群とで構成している。このように、所定のレンズ群よりも縮小側を、２つの正の屈折力の間に負の屈折力が存在するという形にして、屈折力を明確に分割している。
【００７０】
そして、光学系全体として、負の屈折力、正の屈折力、負の屈折力及び正の屈折力の４つのレンズ群からなる構成をとっている。その結果、広い画角と小さいＦナンバーを有しながらも、諸収差が良好に補正された結像光学系を実現できる。
【００７１】
特に、第４レンズ群の構成は、第１レンズ群や第２レンズ群に比べて、球面収差の発生量、コマ収差の発生量及び非点収差の発生量に対する影響が大きい。すなわち、第４レンズ群の構成は、これらの収差の補正レベルの同時満足度に対する影響が大きい。
【００７２】
第３レンズ群に負の屈折力を持たせている関係上、第４レンズ群には全体として大きな正の屈折力を持たせることが好ましい。そこで、第４レンズ群を、２枚以上のレンズで構成すると共に、正レンズを含むように構成する。このようにすることで、大きな正の屈折力を持ちながら、球面収差、コマ収差及び非点収差を、同時に、満足できるレベルに補正することができる。
【００７３】
なお、本実施形態の結像光学系は、ガウスタイプの光学系を原形としている。そして、仕様に合わせて、物体側群や像側群において、屈折力の正負や屈折力の絶対値を変化させ、高い結像性能を確保すべく詳細な構成を変えることを行なっている。
【００７４】
ここで、ガウスタイプの光学系は、物体側群と像側群からなり、全体として６枚のレンズ又は７枚のレンズで構成されている。その構成は、例えば、物体側から順に、正・正負・Ｓ・負正・正、もしくは、正・正負・Ｓ・負正・正・正で表される。ここで、「正」は正レンズ、「負」は負レンズ、「正負」と「負正」は接合レンズ、「Ｓ」は開口絞り、「・」は空気間隔を表している。また、開口絞りＳを境にして、物体側群と像側群に分けることができる。また、像側群に、更に正レンズを配置する構成もある。
【００７５】
また、本実施形態の結像光学系では、第２レンズ群内に、開口絞りを有することが好ましい。
【００７６】
ガウスタイプの光学系では、物体側群と像側群の間に開口絞りを位置させることが適切である。本実施形態の結像光学系もガウスタイプの光学系をベースにしている。本実施形態の結像光学系がガウスタイプの光学系と同一であれば、開口絞りは、第１レンズ群と第２レンズ群との間に位置することになる。
【００７７】
しかしながら、本実施形態の結像光学系は、所定のレンズ群の屈折力を、ガウスタイプの光学系における正の屈折力から負の屈折力にシフトさせる一方で、所定のレンズ群よりも縮小側に、ガウスタイプの光学系に比べて、より大きな正の屈折力を与えている。そのため、所定のレンズ群よりも縮小側で主光線の高さが著しく高くなる。
【００７８】
そこで、本実施形態の結像光学系では、第２レンズ群内に、開口絞りを有することが好ましい。このようにすることで、第３レンズ群や第４レンズ群での収差の悪化を防止することができる。
【００７９】
なお、第２レンズ群よりも縮小側に開口絞りを配置すると、第１レンズ群における主光線の高が著しく高くなる。よって、第２レンズ群よりも縮小側に開口絞りを配置することは避けた方が良い。
【００８０】
また、本実施形態の結像光学系では、フォーカスの際、第３レンズ群が移動することが好ましい。
【００８１】
第３レンズ群は移動時の収差変動が少ない。よって、フォーカスの際、第３レンズ群を移動させることで、無限遠物体から近距離物体まで、高い解像度の像を形成することができる。
【００８２】
また、本実施形態の結像光学系では、以下の条件式（４）を満足することが好ましい。
−１０＜ｆ3G／ｆ4G＜−０．１      （４）
ここで、
ｆ3Gは、第３レンズ群の焦点距離、
ｆ4Gは、第４レンズ群の焦点距離、
である。
【００８３】
上述のように、第３レンズ群を移動させることで、フォーカスの際の収差変動を小さくすることができるが、収差変動は可能な限り最小限に抑えなくてはならない。特に、第３レンズ群と第４レンズ群は、フォーカスの際の球面収差、コマ収差及び非点収差の変動に対する影響が大きい。そこで、条件式（４）を満足することが好ましい。
【００８４】
条件式（４）の上限値を上回るか、又は下限値を下回ると、フォーカスの際の球面収差、コマ収差及び非点収差の変動が許容できないレベルになる。
【００８５】
なお、条件式（４）に代えて、以下の条件式（４’）を満足すると良い。
−４＜ｆ3G／ｆ4G＜−０．５      （４’）
さらに、条件式（４）に代えて、以下の条件式（４’’）を満足するとなお良い。
−２＜ｆ3G／ｆ4G＜−１      （４’’）
【００８６】
また、本実施形態の結像光学系では、第１レンズ群は所定のレンズ群であり、第２の接合レンズは、所定のレンズ群よりも縮小側に、所定のレンズ群と隣接して位置し、以下の条件式（５）を満足することが好ましい。
−２＜（ＲNGR＋ＲC2F）／（ＲNGR−ＲC2F）＜８      （５）
ここで、
ＲNGRは、所定のレンズ群において最も縮小側に位置する面の近軸曲率半径、
ＲC2Fは、第２の接合レンズにおいて最も拡大側に位置する面の近軸曲率半径、
である。
【００８７】
所定のレンズ群と第２の接合レンズについては、条件式（５）を満足することがより好ましい。条件式（５）を満足することで、軸上収差の悪化と軸外収差の悪化を防止することができる。
【００８８】
条件式（５）の上限値を上回ると、非点収差が悪化し易い。よって、条件式（５）の上限値を上回ることは好ましくない。一方、条件式（５）の下限値を下回ると、球面収差が大きくなり易い。
【００８９】
このとき、第１の接合レンズを開口絞りよりも拡大側に位置させ、第１の接合レンズを、拡大側から順に、正レンズと負レンズとで構成し、最も縮小側の面を縮小側に凹面を向け、所定のレンズ群に負の屈折力を持たせることで、広い画角と小さいＦナンバーを有しながらも、諸収差が良好に補正された結像光学系を実現することができる。
【００９０】
なお、条件式（５）に代えて、以下の条件式（５’）を満足すると良い。
−１＜（ＲNGR＋ＲC2F）／（ＲNGR−ＲC2F）＜５      （５’）
さらに、条件式（５）に代えて、以下の条件式（５’’）を満足するとなお良い。
−０．５＜（ＲNGR＋ＲC2F）／（ＲNGR−ＲC2F）＜０．９      （５’’）
【００９１】
また、本実施形態の結像光学系では、第２の接合レンズに対して最も近くに位置する第１の正レンズを有し、以下の条件式（６）を満足することが好ましい。
０．０１＜（ＲP1F＋ＲP1R）／（ＲP1F−ＲP1R）＜５      （６）
ここで、
ＲP1Fは、第１の正レンズの拡大側面の近軸曲率半径、
ＲP1Rは、第１の正レンズの縮小側面の近軸曲率半径、
である。
【００９２】
条件式（６）を満足することで、軸上収差の悪化と軸外収差の悪化を防止することができる。
【００９３】
条件式（６）の上限値を上回ると、コマ収差が発生し易い。一方、条件式（６）の下限値を下回ると、球面収差が発生し易い。
【００９４】
なお、条件式（６）に代えて、以下の条件式（６’）を満足すると良い。
０．１＜（ＲP1F＋ＲP1R）／（ＲP1F−ＲP1R）＜１      （６’）
さらに、条件式（６）に代えて、以下の条件式（６’’）を満足するとなお良い。
０．１７＜（ＲP1F＋ＲP1R）／（ＲP1F−ＲP1R）＜０．６５      （６’’）
【００９５】
また、本実施形態の結像光学系では、第２レンズ群において最も拡大側に位置する接合レンズは、第２の接合レンズであり、以下の条件式（７）を満足することが好ましい。
−４５＜（ＲC2F＋ＲC2R）／（ＲC2F−ＲC2R）＜６５      （７）
ここで、
ＲC2Fは、第２の接合レンズにおいて最も拡大側に位置する面の近軸曲率半径、
ＲC2Rは、第２の接合レンズにおいて最も縮小側に位置する面の近軸曲率半径、
である。
【００９６】
条件式（７）の上限値を上回ると、球面収差が負側に大きくなり易い。一方、条件式（７）の下限値を下回ると、コマ収差と非点収差が悪化し易い。
【００９７】
なお、条件式（７）に代えて、以下の条件式（７’）を満足すると良い。
−３５＜（ＲC2F＋ＲC2R）／（ＲC2F−ＲC2R）＜４５      （７’）
さらに、条件式（７）に代えて、以下の条件式（７’’）を満足するとなお良い。
−２５＜（ＲC2F＋ＲC2R）／（ＲC2F−ＲC2R）＜３５      （７’’）
【００９８】
また、本実施形態の結像光学系では、第１レンズ群において最も縮小側に位置する接合レンズは、第１の接合レンズであり、以下の条件式（８）を満足することが好ましい。
−１０＜（ＲC1F＋ＲC1R）／（ＲC1F−ＲC1R）＜４５      （８）
ここで、
ＲC1Fは、第１の接合レンズにおいて最も拡大側に位置する面の近軸曲率半径、
ＲC1Rは、第１の接合レンズにおいて最も縮小側に位置する面の近軸曲率半径、
である。
【００９９】
条件式（８）の上限値を上回ると、非点収差が悪化し易い。一方、条件式（８）の下限値を下回ると、歪曲収差が悪化し易い。
【０１００】
なお、条件式（８）に代えて、以下の条件式（８’）を満足すると良い。
−６＜（ＲC1F＋ＲC1R）／（ＲC1F−ＲC1R）＜３０      （８’）
さらに、条件式（８）に代えて、以下の条件式（８’’）を満足するとなお良い。
−３＜（ＲC1F＋ＲC1R）／（ＲC1F−ＲC1R）＜１５      （８’’）
【０１０１】
また、本実施形態の結像光学系では、第１レンズ群は所定のレンズ群であり、以下の条件式（９）を満足することが好ましい。
−５＜（ＲNGF＋ＲNGR）／（ＲNGF−ＲNGR）＜１７      （９）
ここで、
ＲNGFは、所定のレンズ群において最も拡大側に位置する面の近軸曲率半径、
ＲNGRは、所定のレンズ群において最も縮小側に位置する面の近軸曲率半径、
である。
【０１０２】
所定のレンズ群については、条件式（９）を満足することがより好ましい。条件式（９）を満足することで、軸外収差の悪化を防止することができる。
【０１０３】
条件式（９）の上限値を上回ると、樽型歪曲収差が大きくなり易い。よって、条件式（９）の上限値を上回ることは好ましくない。一方、条件式（９）の下限値を下回ると、非点収差又はコマ収差が悪化し易い。
【０１０４】
このとき、第１の接合レンズを開口絞りよりも拡大側に位置させ、第１の接合レンズを、拡大側から順に、正レンズと負レンズとで構成し、最も縮小側の面を縮小側に凹面を向け、所定のレンズ群に負の屈折力を持たせることで、広い画角と小さいＦナンバーを有しながらも、諸収差が良好に補正された結像光学系を実現することができる。
【０１０５】
なお、条件式（９）に代えて、以下の条件式（９’）を満足すると良い。
−３＜（ＲNGF＋ＲNGR）／（ＲNGF−ＲNGR）＜１２      （９’）
さらに、条件式（９）に代えて、以下の条件式（９’’）を満足するとなお良い。
−１．５＜（ＲNGF＋ＲNGR）／（ＲNGF−ＲNGR）＜９      （９’’）
【０１０６】
また、本実施形態の結像光学系では、第１の接合レンズは、拡大側から順に、正レンズと負レンズとで構成され、第２の接合レンズ、１枚又は複数枚の正レンズ成分及び第３の接合レンズは、拡大側からこの順に配置され、第３レンズ群は、１枚又は複数枚の負レンズ成分で構成されており、第４レンズ群は、最も拡大側に正レンズを有することが好ましい。
【０１０７】
結像光学系をこのように構成することで、広い画角と小さいＦナンバーを有しながらも、諸収差が良好に補正された結像光学系を実現することができる。加えて、光学性能を向上させるためにレンズ枚数を増やした場合であっても、適切な主点位置を確保することができる。また、所定のレンズ群よりも縮小側に、ガウスタイプの光学系に比べて、より大きな正の屈折力を与えても、球面収差、コマ収差、軸上色収差及び倍率色収差を満足できるレベルまで補正することができる。
【０１０８】
また、本実施形態の結像光学系では、第４レンズ群は最も拡大側に第２の正レンズを有し、以下の条件式（１０）を満足することが好ましい。
０＜（ＲP2F＋ＲP2R）／（ＲP2F−ＲP2R）＜１      （１０）
ここで、
ＲP2Fは、第２の正レンズの拡大側面の近軸曲率半径、
ＲP2Rは、第２の正レンズの縮小側面の近軸曲率半径、
である。
【０１０９】
条件式（１０）を満足することで、軸上収差の悪化と軸外収差の悪化を防止することができる。
【０１１０】
条件式（１０）の上限値を上回ると、球面収差とコマ収差が悪化し易い。一方、条件式（１０）の下限値を下回ると、非点収差が大きくなり易い。よって、条件式（１０）の下限値を下回ることは好ましくない。
【０１１１】
なお、条件式（１０）に代えて、以下の条件式（１０’）を満足すると良い。
０．０５＜（ＲP2F＋ＲP2R）／（ＲP2F−ＲP2R）＜０．８５      （１０’）
さらに、条件式（１０）に代えて、以下の条件式（１０’’）を満足するとなお良い。
０．１５＜（ＲP2F＋ＲP2R）／（ＲP2F−ＲP2R）＜０．６５      （１０’’）
【０１１２】
また、本実施形態の結像光学系では、以下の条件式（１１）を満足することが好ましい。
０．８＜ＦＢ／ｆR＜１．８      （１１）
ここで、
ＦＢは、結像光学系におけるバックフォーカス、
ｆRは、第２レンズ群から第４レンズ群までのレンズ群の合成焦点距離、
である。
【０１１３】
軸外収差を良好に補正するために、条件式（１１）を満足することが好ましい。条件式（１１）を満足することで、球面収差、コマ収差と非点収差を、同時に、満足できるレベルに補正することができる。なお、バックフォーカスは空気換算したときの長さである。
【０１１４】
条件式（１１）の上限値を上回ると、球面収差に対する補正効果が低下する。一方、条件式（１１）の下限値を下回ると、非点収差やコマ収差に対する補正効果が低下する。よって、条件式（１１）の下限値を下回ることは好ましくない。
【０１１５】
なお、条件式（１１）に代えて、以下の条件式（１１’）を満足すると良い。
１．０＜ＦＢ／ｆR＜１．７      （１１’）
さらに、条件式（１１）に代えて、以下の条件式（１１’’）を満足するとなお良い。
１．２＜ＦＢ／ｆR＜１．６５      （１１’’）
【０１１６】
また、本実施形態の結像光学系では、以下の条件式（Ａ）を満足することが好ましい。
０＜ｆ／ｅN1F＜２      （Ａ）
ここで、
ｆは、無限遠物体合焦時の結像光学系全系の焦点距離、
ｅN1Fは、第１の負レンズの拡大側面の最大有効口径、
である。
【０１１７】
条件式（Ａ）の上限値を上回ると、画角を広げることが困難になる。すなわち、画角を広げようとすると、球面収差、歪曲収差及び非点収差が発生し易い。一方、条件式（Ａ）の下限値を下回ると、光学系が径方向に大型化し易い。
【０１１８】
なお、条件式（Ａ）に代えて、以下の条件式（Ａ’）を満足すると良い。
０．１＜ｆ／ｅN1F＜１．５      （Ａ’）
さらに、条件式（Ａ）に代えて、以下の条件式（Ａ’’）を満足するとなお良い。
０．２＜ｆ／ｅN1F＜１      （Ａ’’）
【０１１９】
また、本実施形態の結像光学系では、以下の条件式（Ｂ）を満足することが好ましい。
０＜（ｆ／ｅAS）／Ｆｎｏ＜２      （Ｂ）
ここで、
ｆは、無限物体合焦時の結像光学系全系の焦点距離、
ｅASは、開口絞りの最大直径、
Ｆｎｏは、無限物体合焦時の結像光学系全系のＦナンバー、
である。
【０１２０】
条件式（Ｂ）の上限値を上回ると、画角を広くすることが困難になる。すなわち、画角を広げようとすると、球面収差と色収差の補正が困難になる。一方、条件式（Ｂ）の下限値を下回ると、光学系が径方向に大型化し易い。
【０１２１】
なお、条件式（Ｂ）に代えて、以下の条件式（Ｂ’）を満足すると良い。
０．２＜（ｆ／ｅAS）／Ｆｎｏ＜１      （Ｂ’）
さらに、条件式（Ｂ）に代えて、以下の条件式（Ｂ’’）を満足するとなお良い。
０．３＜（ｆ／ｅAS）／Ｆｎｏ＜０．９      （Ｂ’’）
【０１２２】
また、本実施形態の結像光学系では、以下の条件式（Ｃ）を満足することが好ましい。
０＜Ｔair_max／Σｄ≦０．２７      （Ｃ）
ここで、
Ｔair_maxは、結像光学系の最も拡大側に位置する面から最も縮小側に位置する面までの間で最も大きい軸上空気間隔、
Σｄは、結像光学系の最も拡大側に位置する面から最も縮小側に位置する面までの軸上距離、
である。
【０１２３】
条件式（Ｃ）は、高い光学性能の確保、光学系の全長の短縮化及び結像学系の外径の小径化に有利となる条件式である。
【０１２４】
レンズ同士の空気間隔を適度に広くすることは、光学性能の向上に繋がる。ただし、Σｄ、すなわち、結像光学系の最も拡大側に位置するレンズ面から最も縮小側に位置するレンズ面までの軸上距離に対して、レンズ同士の空気間隔を過剰に広げて光学性能を確保することは、光学系の全長の増加と光学系の大口径化につながり易い。
【０１２５】
そこで、条件式（Ｃ）を満足することで、光学系の全長の短縮化と小径化を行いつつ、高い光学性能の実現に必要なレンズ枚数の確保に有利となる。
【０１２６】
なお、条件式（Ｃ）に代えて、以下の条件式（Ｃ’）を満足すると良い。
０．０３＜Ｔair_max／Σｄ≦０．２（Ｃ’）
さらに、条件式（Ｃ）に代えて、以下の条件式（Ｃ’’）を満足するとなお良い。
０．０７＜Ｔair_max／Σｄ≦０．１６（Ｃ’’）
【０１２７】
また、本実施形態の結像光学系では、第３レンズ群を第１の合焦レンズ群とし、第４レンズ群中の一部のレンズ群を第２の合焦レンズ群とし、フォーカスの際、第１の合焦レンズ群の移動に加え、第２の合焦レンズ群が第１の合焦レンズ群との距離を変えて移動することが好ましい。
【０１２８】
複数のレンズ群がフォーカスの際に移動することで、近距離物体へのフォーカスの際に発生する収差を低減できる。その結果、フォーカスが可能となる物体までの距離を短くすることができる。
【０１２９】
また、本実施形態の結像光学系は、第１の合焦レンズ群を有し、第１の合焦レンズ群は、第３の接合レンズよりも縮小側に配置され、フォーカスの際に結像光学系の光軸に沿って移動し、且つ、負の屈折力を有することが好ましい。
【０１３０】
このようにすることで、縮小側（撮像面）もしくは拡大側（スクリーン面）でのフォーカスの際の像の大きさの変化を小さくできる。また、無限遠物体へのフォーカスの際に、合焦レンズ群の変動による非点収差の悪化や球面収差の悪化を抑えることができる。
【０１３１】
また、本実施形態の結像光学系は、以下の条件式（Ｄ）を満足することが好ましい。
０＜（ＲF1F＋ＲF1R）／（ＲF1F−ＲF1R）＜５      （Ｄ）
ここで、
ＲF1Fは、第１の合焦レンズ群において最も拡大側に位置する面の近軸曲率半径、
ＲF1Rは、第１の合焦レンズ群において最も縮小側に位置する面の近軸曲率半径、
である。
【０１３２】
条件式（Ｄ）の下限値を下回らないようにすると共に、条件式（Ｄ）の上限値を上回らないようにして、フォーカスの際の球面収差の変動やコマ収差の変動を抑えることが好ましい。
【０１３３】
なお、条件式（Ｄ）に代えて、以下の条件式（Ｄ’）を満足すると良い。
０．１＜（ＲF1F＋ＲF1R）／（ＲF1F−ＲF1R）＜４．５      （Ｄ’）
さらに、条件式（Ｄ）に代えて、以下の条件式（Ｄ’’）を満足するとなお良い。
０．２＜（ＲF1F＋ＲF1R）／（ＲF1F−ＲF1R）＜４      （Ｄ’’）
【０１３４】
また、本実施形態の結像光学系では、拡大側に位置する無限遠物体にフォーカスした状態から近距離物体へのフォーカスの際に、第１の合焦レンズ群は縮小側に移動し、且つ、以下の条件式（Ｅ）を満足することが好ましい。
−１＜ＭF1／ｆ＜０      （Ｅ）
ここで、
ＭF1は、第１の合焦レンズ群におけるフォーカスの際の光軸方向に沿った最大移動量、
ｆは、無限遠物体合焦時の結像光学系全系の焦点距離、
である。
【０１３５】
条件式（Ｅ）の下限値を下回らないようにしてフォーカスが可能となる物体までの距離の短縮化を行い、且つ、条件式（Ｅ）の上限値を上回らないようにして結像光学系の全長が長くなりすぎないようにすることが好ましい。
【０１３６】
なお、条件式（Ｅ）に代えて、以下の条件式（Ｅ’）を満足すると良い。
−０．８＜ＭF1／ｆ＜−０．０５      （Ｅ’）
さらに、条件式（Ｅ）に代えて、以下の条件式（Ｅ’’）を満足するとなお良い。
−０．４＜ＭF1／ｆ＜−０．０４      （Ｅ’’）
【０１３７】
また、本実施形態の結像光学系は、第２の合焦レンズ群を有し、第２の合焦レンズ群は、第１の合焦レンズ群よりも縮小側に配置され、フォーカスの際に第１の合焦レンズ群との距離を変えながら結像光学系の光軸に沿って移動し、且つ、正の屈折力を有することが好ましい。
【０１３８】
第１の合焦レンズ群の屈折力が負屈折力で、第１の合焦レンズ群よりも縮小側に位置する第２の合焦レンズ群の屈折力が正屈折力であるので、このようにすることは、射出瞳を縮小側の像面から離しつつも、結像光学系を小型化することに有利である。また、このようにすることは、フォーカスの際の収差変動の低減とフォーカスが可能となる物体までの距離の短縮化との両立に有利となる。
【０１３９】
また、本実施形態の結像光学系では、第１の合焦レンズ群と第２の合焦レンズ群は、各々、多くとも２枚のレンズからなることが好ましい。
【０１４０】
このようにすることで、合焦レンズ群を軽量化できる。そのため、このようにすることは、駆動機構の負担軽減や、結像光学系の小型化に有利となる。
【０１４１】
また、本実施形態の結像光学系では、拡大側に位置する無限遠物体にフォーカスした状態から近距離物体へのフォーカスの際に、第１の合焦レンズ群は縮小側に移動し、拡大側に位置する無限遠物体にフォーカスした状態から近距離物体へのフォーカスの際に、第２の合焦レンズ群は拡大側に移動し、且つ、第１の合焦レンズ群と第２の合焦レンズ群は、フォーカスの際に以下の条件式（Ｆ）を満足することが好ましい。
０＜ＭF2／ＭF1＜１．５      （Ｆ）
ここで、
ＭF1は、第１の合焦レンズ群におけるフォーカスの際の光軸方向に沿った最大移動量、
ＭF2は、第２の合焦レンズ群におけるフォーカスの際の光軸方向に沿った最大移動量、
である。
【０１４２】
条件式（Ｆ）の下限値を下回らないように第２の合焦レンズ群を移動させることで、第１の合焦レンズ群の移動に伴って変動する軸外収差を良好に補正できる。一方、条件式（Ｆ）の下限値を下回らないようにして第２の合焦レンズ群の移動量を抑え、これにより、縮小側（撮像面）もしくは拡大側（スクリーン面）でのフォーカスの際の像の大きさの変化を低減することが好ましい。
【０１４３】
なお、条件式（Ｆ）に代えて、以下の条件式（Ｆ’）を満足すると良い。
０．００５＜ＭF2／ＭF1＜１．２      （Ｆ’）
さらに、条件式（Ｆ）に代えて、以下の条件式（Ｆ’’）を満足するとなお良い。
０．００８＜ＭF2／ＭF1＜１      （Ｆ’’）
【０１４４】
また、本実施形態の結像光学系では、第１の合焦レンズ群と第２の合焦レンズ群は以下の条件式（Ｇ）を満足することが好ましい。
−３＜ｆF1／ｆF2＜−０．５      （Ｇ）
ここで、
ｆF1は、第１の合焦レンズ群の焦点距離、
ｆF2は、第２の合焦レンズ群の焦点距離、
である。
【０１４５】
条件式（Ｇ）の下限値を下回らないようにして第１の合焦レンズ群の負の屈折力を十分に確保し、且つ、条件式（Ｇ）の上限値を上回らないようにして第１の合焦レンズ群の負の屈折力が過剰になることを抑える。このようにすることは、狭い移動範囲内にてフォーカスの際に発生する収差変動の低減と、フォーカスが可能となる物体までの距離の短縮化の双方に有利となる。
なお、条件式（Ｇ）に代えて、以下の条件式（Ｇ’）を満足すると良い。
−２．８＜ｆF1／ｆF2＜−０．８      （Ｇ’）
さらに、条件式（Ｇ）に代えて、以下の条件式（Ｇ’’）を満足するとなお良い。
−２．５＜ｆF1／ｆF2＜−１      （Ｇ’’）
【０１４６】
また、本実施形態の結像光学系では、第１の合焦レンズ群と第２の合焦レンズ群は以下の条件式（Ｈ）を満足することが好ましい。
５＜βF1／βF2＜５０      （Ｈ）
ここで、
βF1は、無限遠物体合焦時の第１の合焦レンズ群の横倍率、
βF2は、無限遠物体合焦時の第２の合焦レンズ群の横倍率、
である。
【０１４７】
条件式（Ｈ）の上限値を上回るか、又は条件式（Ｈ）の下限値を下回ると、フォーカスの際の球面収差の変動、コマ収差の変動及び非点収差の変動が許容できないレベルになる。
【０１４８】
なお、条件式（Ｈ）に代えて、以下の条件式（Ｈ’）を満足すると良い。
８＜βF1／βF2＜４０      （Ｈ’）
さらに、条件式（Ｈ）に代えて、以下の条件式（Ｈ’’）を満足するとなお良い。
１０＜βF1／βF2＜３５      （Ｈ’’）
【０１４９】
また、本実施形態の結像光学系では、第１の接合レンズが３枚のレンズを含む接合レンズであることが好ましい。
【０１５０】
このようにすることは、接合レンズの偏心による収差変動の低減や、色収差の補正に有利となる。
【０１５１】
また、本実施形態の結像光学系では、第３レンズ群は、複数のレンズからなることが好ましい。
【０１５２】
このようにすることは、収差補正に有利となる。また、第３レンズ群を合焦レンズ群とする場合、このようにすることは、近距離物体へのフォーカスの際の収差変動の低減にも有利となる。
【０１５３】
また、本実施形態の結像光学系では、第３レンズ群は、接合レンズからなることが好ましい。
【０１５４】
このようにすることは、偏心によって生じる収差変動の低減や、色収差の補正に有利となる。
【０１５５】
また、本実施形態の結像光学系では、第４レンズ群は、正レンズを含む接合レンズを有することが好ましい。
【０１５６】
このようにすることは、接合レンズの偏心によって生じる収差変動の低減や、色収差の補正に有利となる。
【０１５７】
また、本実施形態の結像光学系では、第４レンズ群中の前記正レンズを含む接合レンズが、フォーカスの際に他の合焦レンズ群との距離を変化させながら移動することが好ましい。
【０１５８】
フォーカス動作においてフローティングを行うレンズ群を接合レンズとすることは、フォーカスの際に発生する収差変動の低減に有利となる。
【０１５９】
また、本実施形態の光学装置は、光学系と、縮小側に配置された撮像素子と、を有し、撮像素子は撮像面を有し、且つ光学系によって撮像面上に形成された像を電気信号に変換し、光学系が上述の結像光学系であることを特徴とする。
【０１６０】
本実施形態の光学装置によれば、広い撮影範囲を、低ノイズ、高解像度で撮像することができる。
【０１６１】
また、本実施形態の光学装置は、光学系と、縮小側に配置された表示素子と、を有し、表示素子は表示面を有し、表示面上に表示された画像は、光学系によって拡大側に投影され、光学系が上述の結像光学系であることを特徴とする。
【０１６２】
本実施形態の光学装置によれば、広い投影範囲に、低ノイズ、高解像度で像を投影することができる。
【０１６３】
なお、上述の結像光学系や光学装置は、複数の構成を同時に満足してもよい。このようにすることが、良好な結像光学系や光学装置を得る上で好ましい。また、好ましい構成の組み合わせは任意である。また、各条件式について、より限定した条件式の数値範囲の上限値又は下限値のみを限定しても構わない。
【０１６４】
以下に、結像光学系の実施例を、図面に基づいて詳細に説明する。なお、この実施例によりこの発明が限定されるものではない。
【０１６５】
以下、結像光学系の実施例１〜２０を図面に基づいて説明する。実施例１〜２０の結像光学系は、いずれもＦナンバーが１．５を下回る結像光学系である。
【０１６６】
図１（ａ）〜図２０（ａ）は、各実施例の結像光学系におけるレンズ断面図を示している。なお、レンズ断面図は、無限遠物体合焦時のレンズ断面図である。
【０１６７】
また、図１（ｂ）〜図２０（ｂ）は、各実施例の結像光学系における球面収差（ＳＡ）を示し、図１（ｃ）〜図２０（ｃ）は非点収差（ＡＳ）を示し、図１（ｄ）〜図２０（ｄ）は歪曲収差（ＤＴ）を示し、図１（ｅ）〜図２０（ｅ）は歪曲収差（ＤＴ）を示している。なお、各収差図は、無限遠物体合焦時の収差図である。また“ω”は半画角を表している。
【０１６８】
また、各実施例のレンズ断面図では、第１レンズ群をＧ１、第２レンズ群をＧ２、第３レンズ群をＧ３、第４レンズ群をＧ４、カバーガラスをＣ、像面をＩで示してある。なお、各実施例の結像光学系は、前群と後群とに分けることができる。この場合、第１レンズ群Ｇ１が前群に対応し、残りのレンズ群が後群に対応する。
【０１６９】
また、図示しないが、第４レンズ群Ｇ４と像面Ｉとの間に、ローパスフィルタを構成する平行平板が配置されていても良い。なお、平行平板の表面に、赤外光を制限する波長域制限コートを施しても良い。また、カバーガラスＣの表面に波長域制限用の多層膜を施してもよい。また、そのカバーガラスＣにローパスフィルタ作用を持たせるようにしてもよい。
【０１７０】
また、結像光学系を撮像に用いる場合、像面Ｉには撮像素子が配置される。一方、結像光学系を投影に用いる場合、像面Ｉには表示素子が配置される。各実施例の構成の説明では、結像光学系を撮像に用いることを前提に説明する。よって、拡大側を物体側、縮小側を像側とする。
【０１７１】
実施例１に係る結像光学系について説明する。図１（ａ）は、実施例１に係る結像光学系のレンズ断面図である。図１（ｂ）、（ｃ）、（ｄ）及び（ｅ）は実施例１に係る結像光学系の収差図である。
【０１７２】
実施例１に係る結像光学系は、図１（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０１７３】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凸正レンズＬ４と、両凸正レンズＬ５と、両凹負レンズＬ６と、で構成されている。ここで、両凸正レンズＬ５と両凹負レンズＬ６とが接合されている。
【０１７４】
第２レンズ群Ｇ２は、両凹負レンズＬ７と、両凸正レンズＬ８と、両凸正レンズＬ９と、両凸正レンズＬ１０と、像側に凸面を向けた負メニスカスレンズＬ１１と、で構成されている。ここで、両凹負レンズＬ７と両凸正レンズＬ８とが接合されている。また、両凸正レンズＬ１０と負メニスカスレンズＬ１１とが接合されている。
【０１７５】
第３レンズ群Ｇ３は、物体側に凸面を向けた負メニスカスレンズＬ１２で構成されている。
【０１７６】
第４レンズ群Ｇ４は、両凸正レンズＬ１３と、像側に凸面を向けた負メニスカスレンズＬ１４と、で構成されている。
【０１７７】
ここで、第１レンズ群Ｇ１が所定のレンズ群である。また、両凸正レンズＬ５と両凹負レンズＬ６とで、第１の接合レンズが構成されている。また、両凹負レンズＬ７と両凸正レンズＬ８とで、第２の接合レンズが構成されている。また、両凸正レンズＬ１０と負メニスカスレンズＬ１１とで、第３の接合レンズが構成されている。
【０１７８】
また、無限遠物体から近距離物体への合焦時に、負メニスカスレンズＬ１２が光軸に沿って像側へ移動する。
【０１７９】
非球面は、負メニスカスレンズＬ３の像側面と、負メニスカスレンズＬ１２の両面と、両凸正レンズＬ１３の像側面と、の合計４面に設けられている。
【０１８０】
次に、実施例２に係る結像光学系について説明する。図２（ａ）は、実施例２に係る結像光学系のレンズ断面図である。図２（ｂ）、（ｃ）、（ｄ）及び（ｅ）は実施例２に係る結像光学系の収差図である。
【０１８１】
実施例２に係る結像光学系は、図２（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０１８２】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、物体側に凸面を向けた正メニスカスレンズＬ４と、両凸正レンズＬ５と、両凹負レンズＬ６と、で構成されている。ここで、両凸正レンズＬ５と両凹負レンズＬ６とが接合されている。
【０１８３】
第２レンズ群Ｇ２は、両凹負レンズＬ７と、両凸正レンズＬ８と、両凸正レンズＬ９と、両凸正レンズＬ１０と、像側に凸面を向けた負メニスカスレンズＬ１１と、で構成されている。ここで、両凹負レンズＬ７と両凸正レンズＬ８とが接合されている。また、両凸正レンズＬ１０と負メニスカスレンズＬ１１とが接合されている。
【０１８４】
第３レンズ群Ｇ３は、物体側に凸面を向けた負メニスカスレンズＬ１２で構成されている。
【０１８５】
第４レンズ群Ｇ４は、両凸正レンズＬ１３と、像側に凸面を向けた負メニスカスレンズＬ１４と、で構成されている。
【０１８６】
ここで、第１レンズ群Ｇ１が所定のレンズ群である。また、両凸正レンズＬ５と両凹負レンズＬ６とで、第１の接合レンズが構成されている。また、両凹負レンズＬ７と両凸正レンズＬ８とで、第２の接合レンズが構成されている。また、両凸正レンズＬ１０と負メニスカスレンズＬ１１とで、第３の接合レンズが構成されている。
【０１８７】
また、無限遠物体から近距離物体への合焦時に、負メニスカスレンズＬ１２が光軸に沿って像側へ移動する。
【０１８８】
非球面は、負メニスカスレンズＬ３の両面と、負メニスカスレンズＬ１２の両面と、両凸正レンズＬ１３の両面と、の合計６面に設けられている。
【０１８９】
次に、実施例３に係る結像光学系について説明する。図３（ａ）は、実施例３に係る結像光学系のレンズ断面図である。図３（ｂ）、（ｃ）、（ｄ）及び（ｅ）は実施例３に係る結像光学系の収差図である。
【０１９０】
実施例３に係る結像光学系は、図３（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０１９１】
第１レンズ群Ｇ１は、物体側に凸面を向けた負メニスカスレンズＬ１と、物体側に凸面を向けた負メニスカスレンズＬ２と、両凸正レンズＬ３と、両凹負レンズＬ４と、で構成されている。ここで、両凸正レンズＬ３と両凹負レンズＬ４とが接合されている。
【０１９２】
第２レンズ群Ｇ２は、両凹負レンズＬ５と、両凸正レンズＬ６と、両凸正レンズＬ７と、両凸正レンズＬ８と、両凹負レンズＬ９と、で構成されている。ここで、両凹負レンズＬ５と両凸正レンズＬ６とが接合されている。また、両凸正レンズＬ８と両凹負レンズＬ９とが接合されている。
【０１９３】
第３レンズ群Ｇ３は、物体側に凸面を向けた負メニスカスレンズＬ１０で構成されている。
【０１９４】
第４レンズ群Ｇ４は、両凸正レンズＬ１１と、像側に凸面を向けた負メニスカスレンズＬ１２と、で構成されている。
【０１９５】
ここで、第１レンズ群Ｇ１が所定のレンズ群である。また、両凸正レンズＬ３と両凹負レンズＬ４とで、第１の接合レンズが構成されている。また、両凹負レンズＬ５と両凸正レンズＬ６とで、第２の接合レンズが構成されている。また、両凸正レンズＬ８と両凹負レンズＬ９とで、第３の接合レンズが構成されている。
【０１９６】
また、無限遠物体から近距離物体への合焦時に、負メニスカスレンズＬ１０が光軸に沿って像側へ移動する。
【０１９７】
非球面は、負メニスカスレンズＬ２の両面と、負メニスカスレンズＬ１０の両面と、両凸正レンズＬ１１の両面と、の合計６面に設けられている。
【０１９８】
次に、実施例４に係る結像光学系について説明する。図４（ａ）は、実施例４に係る結像光学系のレンズ断面図である。図４（ｂ）、（ｃ）、（ｄ）及び（ｅ）は実施例４に係る結像光学系の収差図である。
【０１９９】
実施例４に係る結像光学系は、図４（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０２００】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、物体側に凸面を向けた正メニスカスレンズＬ４と、両凸正レンズＬ５と、両凹負レンズＬ６と、で構成されている。ここで、両凸正レンズＬ５と両凹負レンズＬ６とが接合されている。
【０２０１】
第２レンズ群Ｇ２は、両凹負レンズＬ７と、両凸正レンズＬ８と、両凸正レンズＬ９と、両凸正レンズＬ１０と、像側に凸面を向けた負メニスカスレンズＬ１１と、で構成されている。ここで、両凹負レンズＬ７と両凸正レンズＬ８とが接合されている。また、両凸正レンズＬ１０と負メニスカスレンズＬ１１とが接合されている。
【０２０２】
第３レンズ群Ｇ３は、両凹負レンズＬ１２で構成されている。
【０２０３】
第４レンズ群Ｇ４は、両凸正レンズＬ１３と、像側に凸面を向けた負メニスカスレンズＬ１４と、で構成されている。
【０２０４】
ここで、第１レンズ群Ｇ１が所定のレンズ群である。また、両凸正レンズＬ５と両凹負レンズＬ６とで、第１の接合レンズが構成されている。また、両凹負レンズＬ７と両凸正レンズＬ８とで、第２の接合レンズが構成されている。また、両凸正レンズＬ１０と負メニスカスレンズＬ１１とで、第３の接合レンズが構成されている。
【０２０５】
また、無限遠物体から近距離物体への合焦時に、両凹負レンズＬ１２が光軸に沿って像側へ移動する。
【０２０６】
非球面は、負メニスカスレンズＬ３の両面と、両凹負レンズＬ１２の両面と、両凸正レンズＬ１３の両面と、の合計６面に設けられている。
【０２０７】
次に、実施例５に係る結像光学系について説明する。図５（ａ）は、実施例５に係る結像光学系のレンズ断面図である。図５（ｂ）、（ｃ）、（ｄ）及び（ｅ）は実施例５に係る結像光学系の収差図である。
【０２０８】
実施例５に係る結像光学系は、図５（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０２０９】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凸正レンズＬ４と、両凹負レンズＬ５と、で構成されている。ここで、負メニスカスレンズＬ３、両凸正レンズＬ４及び両凹負レンズＬ５が接合されている。
【０２１０】
第２レンズ群Ｇ２は、両凹負レンズＬ６と、両凸正レンズＬ７と、両凸正レンズＬ８と、両凸正レンズＬ９と、像側に凸面を向けた負メニスカスレンズＬ１０と、で構成されている。ここで、両凹負レンズＬ６と両凸正レンズＬ７とが接合されている。また、両凸正レンズＬ９と負メニスカスレンズＬ１０とが接合されている。
【０２１１】
第３レンズ群Ｇ３は、物体側に凸面を向けた負メニスカスレンズＬ１１で構成されている。
【０２１２】
第４レンズ群Ｇ４は、両凸正レンズＬ１２と、像側に凸面を向けた負メニスカスレンズＬ１３と、で構成されている。
【０２１３】
ここで、第１レンズ群Ｇ１が所定のレンズ群である。また、負メニスカスレンズＬ３、両凸正レンズＬ４及び両凹負レンズＬ５で、第１の接合レンズが構成されている。また、両凹負レンズＬ６と両凸正レンズＬ７とで、第２の接合レンズが構成されている。また、両凸正レンズＬ９と負メニスカスレンズＬ１０とで、第３の接合レンズが構成されている。
【０２１４】
また、無限遠物体から近距離物体への合焦時に、負メニスカスレンズＬ１１が光軸に沿って像側へ移動する。
【０２１５】
非球面は、負メニスカスレンズＬ１の像側面と、負メニスカスレンズＬ１１の両面と、両凸正レンズＬ１２の両面と、の合計５面に設けられている。
【０２１６】
次に、実施例６に係る結像光学系について説明する。図６（ａ）は、実施例６に係る結像光学系のレンズ断面図である。図６（ｂ）、（ｃ）、（ｄ）及び（ｅ）は実施例６に係る結像光学系の収差図である。
【０２１７】
実施例６に係る結像光学系は、図６（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０２１８】
第１レンズ群Ｇ１は、物体側に凸面を向けた負メニスカスレンズＬ１と、物体側に凸面を向けた負メニスカスレンズＬ２と、両凸正レンズＬ３と、両凹負レンズＬ４と、で構成されている。ここで、両凸正レンズＬ３と両凹負レンズＬ４とが接合されている。
【０２１９】
第２レンズ群Ｇ２は、両凹負レンズＬ５と、両凸正レンズＬ６と、両凸正レンズＬ７と、両凸正レンズＬ８と、両凹負レンズＬ９と、で構成されている。ここで、両凹負レンズＬ５と両凸正レンズＬ６とが接合されている。また、両凸正レンズＬ８と両凹負レンズＬ９とが接合されている。
【０２２０】
第３レンズ群Ｇ３は、物体側に凸面を向けた負メニスカスレンズＬ１０で構成されている。
【０２２１】
第４レンズ群Ｇ４は、両凸正レンズＬ１１と、像側に凸面を向けた負メニスカスレンズＬ１２と、で構成されている。
【０２２２】
ここで、第１レンズ群Ｇ１が所定のレンズ群である。また、両凸正レンズＬ３と両凹負Ｌ４とで、第１の接合レンズが構成されている。また、両凹負レンズＬ５と両凸正レンズＬ６とで、第２の接合レンズが構成されている。また、両凸正レンズＬ８と両凹負レンズＬ９とで、第３の接合レンズが構成されている。
【０２２３】
また、無限遠物体から近距離物体への合焦時に、負メニスカスレンズＬ１０が光軸に沿って像側へ移動する。
【０２２４】
非球面は、負メニスカスレンズＬ２の両面と、負メニスカスレンズＬ１０の両面と、両凸正レンズＬ１１の両面と、の合計６面に設けられている。
【０２２５】
次に、実施例７に係る結像光学系について説明する。図７（ａ）は、実施例７に係る結像光学系のレンズ断面図である。図７（ｂ）、（ｃ）、（ｄ）及び（ｅ）は実施例７に係る結像光学系の収差図である。
【０２２６】
実施例７に係る結像光学系は、図７（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０２２７】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、物体側に凸面を向けた負メニスカスレンズＬ４と、で構成されている。ここで、正メニスカスレンズＬ３と負メニスカスレンズＬ４とが接合されている。
【０２２８】
第２レンズ群Ｇ２は、両凹負レンズＬ５と、両凸正レンズＬ６と、両凸正レンズＬ７と、両凸正レンズＬ８と、両凹負レンズＬ９と、で構成されている。ここで、両凹負レンズＬ５と両凸正レンズＬ６とが接合されている。また、両凸正レンズＬ８と両凹負レンズＬ９とが接合されている。
【０２２９】
第３レンズ群Ｇ３は、物体側に凸面を向けた負メニスカスレンズＬ１０で構成されている。
【０２３０】
第４レンズ群Ｇ４は、両凸正レンズＬ１１と、物体側に凸面を向けた負メニスカスレンズＬ１２と、で構成されている。
【０２３１】
ここで、第１レンズ群Ｇ１が所定のレンズ群である。また、正メニスカスレンズＬ３と負メニスカスレンズＬ４とで、第１の接合レンズが構成されている。また、両凹負レンズＬ５と両凸正レンズＬ６とで、第２の接合レンズが構成されている。また、両凸正レンズＬ８と両凹負レンズＬ９とで、第３の接合レンズが構成されている。
【０２３２】
また、無限遠物体から近距離物体への合焦時に、負メニスカスレンズＬ１０が光軸に沿って像側へ移動する。
【０２３３】
非球面は、負メニスカスレンズＬ１の像側面と、負メニスカスレンズＬ１０の両面と、両凸正レンズＬ１１の物体側面と、の合計４面に設けられている。
【０２３４】
次に、実施例８に係る結像光学系について説明する。図８（ａ）は、実施例８に係る結像光学系のレンズ断面図である。図８（ｂ）、（ｃ）、（ｄ）及び（ｅ）は実施例８に係る結像光学系の収差図である。
【０２３５】
実施例８に係る結像光学系は、図８（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０２３６】
第１レンズ群Ｇ１は、物体側に凸面を向けた負メニスカスレンズＬ１と、物体側に凸面を向けた負メニスカスレンズＬ２と、両凸正レンズＬ３と、両凹負レンズＬ４と、で構成されている。ここで、両凸正レンズＬ３と両凹負レンズＬ４とが接合されている。
【０２３７】
第２レンズ群Ｇ２は、両凹負レンズＬ５と、両凸正レンズＬ６と、両凸正レンズＬ７と、両凸正レンズＬ８と、両凹負レンズＬ９と、で構成されている。ここで、両凹負レンズＬ５と両凸正レンズＬ６とが接合されている。また、両凸正レンズＬ８と両凹負レンズＬ９とが接合されている。
【０２３８】
第３レンズ群Ｇ３は、物体側に凸面を向けた負メニスカスレンズＬ１０で構成されている。
【０２３９】
第４レンズ群Ｇ４は、両凸正レンズＬ１１と、物体側に凸面を向けた負メニスカスレンズＬ１２と、で構成されている。
【０２４０】
ここで、第１レンズ群Ｇ１が所定のレンズ群である。また、両凸正レンズＬ３と両凹負レンズＬ４とで、第１の接合レンズが構成されている。また、両凹負レンズＬ５と両凸正レンズＬ６とで、第２の接合レンズが構成されている。また、両凸正レンズＬ８と両凹負レンズＬ９とで、第３の接合レンズが構成されている。
【０２４１】
また、無限遠物体から近距離物体への合焦時に、負メニスカスレンズＬ１０が光軸に沿って像側へ移動する。
【０２４２】
非球面は、負メニスカスレンズＬ２の両面と、負メニスカスレンズＬ１０の両面と、両凸正レンズＬ１１の両面と、の合計６面に設けられている。
【０２４３】
次に、実施例９に係る結像光学系について説明する。図９（ａ）は、実施例９に係る結像光学系のレンズ断面図である。図９（ｂ）、（ｃ）、（ｄ）及び（ｅ）は実施例９に係る結像光学系の収差図である。
【０２４４】
実施例９に係る結像光学系は、図９（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０２４５】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、物体側に凸面を向けた負メニスカスレンズＬ４と、で構成されている。ここで、正メニスカスレンズＬ３と負メニスカスレンズＬ４とが接合されている。
【０２４６】
第２レンズ群Ｇ２は、両凹負レンズＬ５と、両凸正レンズＬ６と、両凸正レンズＬ７と、両凸正レンズＬ８と、両凹負レンズＬ９と、で構成されている。ここで、両凹負レンズＬ５と両凸正レンズＬ６とが接合されている。また、両凸正レンズＬ８と両凹負レンズＬ９とが接合されている。
【０２４７】
第３レンズ群Ｇ３は、物体側に凸面を向けた負メニスカスレンズＬ１０で構成されている。
【０２４８】
第４レンズ群Ｇ４は、両凸正レンズＬ１１と、物体側に凸面を向けた負メニスカスレンズＬ１２と、で構成されている。
【０２４９】
ここで、第１レンズ群Ｇ１が所定のレンズ群である。また、正メニスカスレンズＬ３と負メニスカスレンズＬ４とで、第１の接合レンズが構成されている。また、両凹負レンズＬ５と両凸正レンズＬ６とで、第２の接合レンズが構成されている。また、両凸正レンズＬ８と両凹負レンズＬ９とで、第３の接合レンズが構成されている。
【０２５０】
また、無限遠物体から近距離物体への合焦時に、負メニスカスレンズＬ１０が光軸に沿って像側へ移動する。
【０２５１】
非球面は、負メニスカスレンズＬ１の像側面と、負メニスカスレンズＬ１０の両面と、両凸正レンズＬ１１の両面と、の合計５面に設けられている。
【０２５２】
次に、実施例１０に係る結像光学系について説明する。図１０（ａ）は、実施例１０に係る結像光学系のレンズ断面図である。図１０（ｂ）、（ｃ）、（ｄ）及び（ｅ）は実施例１０に係る結像光学系の収差図である。
【０２５３】
実施例１０に係る結像光学系は、図１０（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０２５４】
第１レンズ群Ｇ１は、物体側に凸面を向けた負メニスカスレンズＬ１と、両凹負レンズＬ２と、両凸正レンズＬ３と、両凹負レンズＬ４と、で構成されている。ここで、両凸正レンズＬ３と両凹負レンズＬ４とが接合されている。
【０２５５】
第２レンズ群Ｇ２は、両凹負レンズＬ５と、両凸正レンズＬ６と、両凸正レンズＬ７と、両凸正レンズＬ８と、像側に凸面を向けた負メニスカスレンズＬ９と、で構成されている。ここで、両凹負レンズＬ５と両凸正レンズＬ６とが接合されている。また、両凸正レンズＬ８と負メニスカスレンズＬ９とが接合されている。
【０２５６】
第３レンズ群Ｇ３は、物体側に凸面を向けた負メニスカスレンズＬ１０で構成されている。
【０２５７】
第４レンズ群Ｇ４は、両凸正レンズＬ１１と、両凸正レンズＬ１２と、両凹負レンズＬ１３と、物体側に凸面を向けた正メニスカスレンズＬ１４と、で構成されている。ここで、両凸正レンズＬ１２と両凹負レンズＬ１３とが接合されている。
【０２５８】
ここで、第１レンズ群Ｇ１が所定のレンズ群である。また、両凸正レンズＬ３と両凹負レンズＬ４とで、第１の接合レンズが構成されている。また、両凹負レンズＬ５と両凸正レンズＬ６とで、第２の接合レンズが構成されている。また、両凸正レンズＬ８と負メニスカスレンズＬ９とで、第３の接合レンズが構成されている。
【０２５９】
また、無限遠物体から近距離物体への合焦時に、負メニスカスレンズＬ１０が光軸に沿って像側へ移動する。
【０２６０】
非球面は、両凹負レンズＬ２の両面と、負メニスカスレンズＬ１０の両面と、の合計４面に設けられている。
【０２６１】
次に、実施例１１に係る結像光学系について説明する。図１１（ａ）は、実施例１１に係る結像光学系のレンズ断面図である。図１１（ｂ）、（ｃ）、（ｄ）及び（ｅ）は実施例１１に係る結像光学系の収差図である。
【０２６２】
実施例１１に係る結像光学系は、図１１（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０２６３】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凸正レンズＬ４と、両凹負レンズＬ５と、で構成されている。ここで、両凸正レンズＬ４と両凹負レンズＬ５とが接合されている。
【０２６４】
第２レンズ群Ｇ２は、両凹負レンズＬ６と、両凸正レンズＬ７と、両凸正レンズＬ８と、両凸正レンズＬ９と、像側に凸面を向けた負メニスカスレンズＬ１０と、で構成されている。ここで、両凹負レンズＬ６と両凸正レンズＬ７とが接合されている。また、両凸正レンズＬ９と負メニスカスレンズＬ１０とが接合されている。
【０２６５】
第３レンズ群Ｇ３は、物体側に凸面を向けた負メニスカスレンズＬ１１と、物体側に凸面を向けた正メニスカスレンズＬ１２と、で構成されている。ここで、負メニスカスレンズＬ１１と正メニスカスレンズＬ１２とが接合されている。
【０２６６】
第４レンズ群Ｇ４は、両凸正レンズＬ１３と、両凹負レンズＬ１４と、で構成されている。
【０２６７】
ここで、第１レンズ群Ｇ１が所定のレンズ群である。また、両凸正レンズＬ４と両凹負レンズＬ５とで、第１の接合レンズが構成されている。また、両凹負レンズＬ６と両凸正レンズＬ７とで、第２の接合レンズが構成されている。また、両凸正レンズＬ９と負メニスカスレンズＬ１０とで、第３の接合レンズが構成されている。
【０２６８】
また、無限遠物体から近距離物体への合焦時に、負メニスカスレンズＬ１１と正メニスカスレンズＬ１２とが光軸に沿って像側へ移動する。
【０２６９】
非球面は、負メニスカスレンズＬ３の両面と、負メニスカスレンズＬ１１の物体側面と、両凸正レンズＬ１３の両面と、の合計５面に設けられている。
【０２７０】
次に、実施例１２に係る結像光学系について説明する。図１２（ａ）は、実施例１２に係る結像光学系のレンズ断面図である。図１２（ｂ）、（ｃ）、（ｄ）及び（ｅ）は実施例１２に係る結像光学系の収差図である。
【０２７１】
実施例１２に係る結像光学系は、図１２（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０２７２】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凸正レンズＬ４と、両凹負レンズＬ５と、で構成されている。ここで、両凸正レンズＬ４と両凹負レンズＬ５とが接合されている。
【０２７３】
第２レンズ群Ｇ２は、両凹負レンズＬ６と、両凸正レンズＬ７と、両凸正レンズＬ８と、両凸正レンズＬ９と、像側に凸面を向けた負メニスカスレンズＬ１０と、で構成されている。ここで、両凹負レンズＬ６と両凸正レンズＬ７とが接合されている。また、両凸正レンズＬ９と負メニスカスレンズＬ１０とが接合されている。
【０２７４】
第３レンズ群Ｇ３は、像側に凸面を向けた正メニスカスレンズＬ１１と、両凹負レンズＬ１２と、で構成されている。ここで、正メニスカスレンズＬ１１と両凹負レンズＬ１２とが接合されている。
【０２７５】
第４レンズ群Ｇ４は、両凸正レンズＬ１３と、像側に凸面を向けた負メニスカスレンズＬ１４と、で構成されている。
【０２７６】
ここで、第１レンズ群Ｇ１が所定のレンズ群である。また、両凸正レンズＬ４と両凹負レンズＬ５とで、第１の接合レンズが構成されている。また、両凹負レンズＬ６と両凸正レンズＬ７とで、第２の接合レンズが構成されている。また、両凸正レンズＬ９と負メニスカスレンズＬ１０とで、第３の接合レンズが構成されている。
【０２７７】
また、無限遠物体から近距離物体への合焦時に、正メニスカスレンズＬ１１と両凹負レンズＬ１２とが光軸に沿って像側へ移動する。
【０２７８】
非球面は、負メニスカスレンズＬ３の両面と、両凹負レンズＬ１２の像側面と、両凸正レンズＬ１３の両面と、の合計５面に設けられている。
【０２７９】
次に、実施例１３に係る結像光学系について説明する。図１３（ａ）は、実施例１３に係る結像光学系のレンズ断面図である。図１３（ｂ）、（ｃ）、（ｄ）及び（ｅ）は実施例１３に係る結像光学系の収差図である。
【０２８０】
実施例１３に係る結像光学系は、図１３（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０２８１】
第１レンズ群Ｇ１は、物体側に凸面を向けた負メニスカスレンズＬ１と、物体側に凸面を向けた負メニスカスレンズＬ２と、両凸正レンズＬ３と、両凸正レンズＬ４と、両凹負レンズＬ５と、で構成されている。ここで、両凸正レンズＬ４と両凹負レンズＬ５とが接合されている。
【０２８２】
第２レンズ群Ｇ２は、両凹負レンズＬ６と、両凸正レンズＬ７と、両凸正レンズＬ８と、両凸正レンズＬ９と、像側に凸面を向けた負メニスカスレンズＬ１０と、で構成されている。ここで、両凹負レンズＬ６と両凸正レンズＬ７とが接合されている。また、両凸正レンズＬ９と負メニスカスレンズＬ１０とが接合されている。
【０２８３】
第３レンズ群Ｇ３は、像側に凸面を向けた正メニスカスレンズＬ１１と、両凹負レンズＬ１２と、で構成されている。
【０２８４】
第４レンズ群Ｇ４は、両凸正レンズＬ１３と、像側に凸面を向けた負メニスカスレンズＬ１４と、で構成されている。
【０２８５】
ここで、第１レンズ群Ｇ１が所定のレンズ群である。また、両凸正レンズＬ４と両凹負レンズＬ５とで、第１の接合レンズが構成されている。また、両凹負レンズＬ６と両凸正レンズＬ７とで、第２の接合レンズが構成されている。また、両凸正レンズＬ９と負メニスカスレンズＬ１０とで、第３の接合レンズが構成されている。
【０２８６】
また、無限遠物体から近距離物体への合焦時に、正メニスカスレンズＬ１１と両凹負レンズＬ１２とが光軸に沿って像側へ移動する。
【０２８７】
非球面は、負メニスカスレンズＬ２の両面と、正メニスカスレンズＬ１１の物体側面と、両凸正レンズＬ１３の両面と、の合計５面に設けられている。
【０２８８】
実施例１４に係る結像光学系は、図１４（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０２８９】
第１レンズ群Ｇ１は、物体側に凸面を向けた負メニスカスレンズＬ１と、物体側に凸面を向けた負メニスカスレンズＬ２と、両凸正レンズＬ３と、両凹負レンズＬ４と、で構成されている。ここで、両凸正レンズＬ３と両凹負レンズＬ４とが接合されている。
【０２９０】
第２レンズ群Ｇ２は、両凹負レンズＬ５と、両凸正レンズＬ６と、両凸正レンズＬ７と、両凸正レンズＬ８と、像側に凸面を向けた負メニスカスレンズＬ９と、で構成されている。ここで、両凹負レンズＬ５と両凸正レンズＬ６とが接合されている。また、両凸正レンズＬ８と負メニスカスレンズＬ９とが接合されている。
【０２９１】
第３レンズ群Ｇ３は、物体側に凸面を向けた負メニスカスレンズＬ１０で構成されている。
【０２９２】
第４レンズ群Ｇ４は、両凸正レンズＬ１１と、像側に凸面を向けた負メニスカスレンズＬ１２と、で構成されている。
【０２９３】
ここで、第１レンズ群Ｇ１が所定のレンズ群である。また、両凸正レンズＬ３と両凹負レンズＬ４とで、第１の接合レンズが構成されている。また、両凹負レンズＬ５と両凸正レンズＬ６とで、第２の接合レンズが構成されている。また、両凸正レンズＬ８と負メニスカスレンズＬ９とで、第３の接合レンズが構成されている。
【０２９４】
また、無限遠物体から近距離物体への合焦時に、負メニスカスレンズＬ１０が光軸に沿って像側へ移動すると共に、両凸正レンズＬ１１が光軸に沿って物体側に移動する。
【０２９５】
非球面は、負メニスカスレンズＬ２の両面と、負メニスカスレンズＬ１０の両面と、両凸正レンズＬ１１の両面と、の合計６面に設けられている。
【０２９６】
実施例１５に係る結像光学系は、図１５（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０２９７】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凸正レンズＬ４と、両凹負レンズＬ５と、で構成されている。ここで、両凸正レンズＬ４と両凹負レンズＬ５とが接合されている。
【０２９８】
第２レンズ群Ｇ２は、両凹負レンズＬ６と、両凸正レンズＬ７と、両凸正レンズＬ８と、両凸正レンズＬ９と、像側に凸面を向けた負メニスカスレンズＬ１０と、で構成されている。ここで、両凹負レンズＬ６と両凸正レンズＬ７とが接合されている。また、両凸正レンズＬ９と負メニスカスレンズＬ１０とが接合されている。
【０２９９】
第３レンズ群Ｇ３は、物体側に凸面を向けた負メニスカスレンズＬ１１で構成されている。
【０３００】
第４レンズ群Ｇ４は、両凸正レンズＬ１２と、両凹負レンズＬ１３と、で構成されている。
【０３０１】
ここで、第１レンズ群Ｇ１が所定のレンズ群である。また、両凸正レンズＬ４と両凹負レンズＬ５とで、第１の接合レンズが構成されている。また、両凹負レンズＬ６と両凸正レンズＬ７とで、第２の接合レンズが構成されている。また、両凸正レンズＬ９と負メニスカスレンズＬ１０とで、第３の接合レンズが構成されている。
【０３０２】
また、無限遠物体から近距離物体への合焦時に、負メニスカスレンズＬ１１が光軸に沿って像側へ移動すると共に、両凸正レンズＬ１２が光軸に沿って物体側に移動する。
【０３０３】
非球面は、負メニスカスレンズＬ２の両面と、負メニスカスレンズＬ１１の両面と、両凸正レンズＬ１２の両面と、の合計６面に設けられている。
【０３０４】
実施例１６に係る結像光学系は、図１６（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０３０５】
第１レンズ群Ｇ１は、物体側に凸面を向けた負メニスカスレンズＬ１と、物体側に凸面を向けた負メニスカスレンズＬ２と、両凸正レンズＬ３と、両凹負レンズＬ４と、で構成されている。ここで、両凸正レンズＬ３と両凹負レンズＬ４とが接合されている。
【０３０６】
第２レンズ群Ｇ２は、両凹負レンズＬ５と、両凸正レンズＬ６と、両凸正レンズＬ７と、両凸正レンズＬ８と、像側に凸面を向けた負メニスカスレンズＬ９と、で構成されている。ここで、両凹負レンズＬ５と両凸正レンズＬ６とが接合されている。また、両凸正レンズＬ８と負メニスカスレンズＬ９とが接合されている。
【０３０７】
第３レンズ群Ｇ３は、物体側に凸面を向けた負メニスカスレンズＬ１０で構成されている。
【０３０８】
第４レンズ群Ｇ４は、物体側に凸面を向けた負メニスカスレンズＬ１１と、両凸正レンズＬ１２と、像側に凸面を向けた負メニスカスレンズＬ１３と、で構成されている。ここで、負メニスカスレンズＬ１１と両凸正レンズＬ１２とが接合されている。
【０３０９】
ここで、第１レンズ群Ｇ１が所定のレンズ群である。また、両凸正レンズＬ３と両凹負レンズＬ４とで、第１の接合レンズが構成されている。また、両凹負レンズＬ５と両凸正レンズＬ６とで、第２の接合レンズが構成されている。また、両凸正レンズＬ８と負メニスカスレンズＬ９とで、第３の接合レンズが構成されている。
【０３１０】
また、無限遠物体から近距離物体への合焦時に、負メニスカスレンズＬ１０が光軸に沿って像側へ移動すると共に、負メニスカスレンズＬ１１と両凸正レンズＬ１２とが光軸に沿って物体側に移動する。
【０３１１】
非球面は、負メニスカスレンズＬ２の両面と、負メニスカスレンズＬ１０の両面と、両凸正レンズＬ１２の物体側面と、の合計５面に設けられている。
【０３１２】
実施例１７に係る結像光学系は、図１７（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０３１３】
第１レンズ群Ｇ１は、物体側に凸面を向けた負メニスカスレンズＬ１と、物体側に凸面を向けた負メニスカスレンズＬ２と、両凸正レンズＬ３と、両凹負レンズＬ４と、で構成されている。ここで、両凸正レンズＬ３と両凹負レンズＬ４とが接合されている。
【０３１４】
第２レンズ群Ｇ２は、両凹負レンズＬ５と、両凸正レンズＬ６と、両凸正レンズＬ７と、両凸正レンズＬ８と、像側に凸面を向けた負メニスカスレンズＬ９と、で構成されている。ここで、両凹負レンズＬ５と両凸正レンズＬ６とが接合されている。また、両凸正レンズＬ８と負メニスカスレンズＬ９とが接合されている。
【０３１５】
第３レンズ群Ｇ３は、両凹負レンズＬ１０と、物体側に凸面を向けた負メニスカスレンズＬ１１と、で構成されている。ここで、両凹負レンズＬ１０と負メニスカスレンズＬ１１とが接合されている。
【０３１６】
第４レンズ群Ｇ４は、両凸正レンズＬ１２と、両凹負レンズＬ１３と、で構成されている。
【０３１７】
ここで、第１レンズ群Ｇ１が所定のレンズ群である。また、両凸正レンズＬ３と両凹負レンズＬ４とで、第１の接合レンズが構成されている。また、両凹負レンズＬ５と両凸正レンズＬ６とで、第２の接合レンズが構成されている。また、両凸正レンズＬ８と負メニスカスレンズＬ９とで、第３の接合レンズが構成されている。
【０３１８】
また、無限遠物体から近距離物体への合焦時に、両凹負レンズＬ１０と負メニスカスレンズＬ１１とが光軸に沿って像側へ移動する共に、両凸正レンズＬ１２が光軸に沿って物体側に移動する。
【０３１９】
非球面は、負メニスカスレンズＬ２の両面と、両凹負レンズＬ１０の物体側面と、負メニスカスレンズＬ１１の像側面と、両凸正レンズＬ１２の両面と、の合計６面に設けられている。
【０３２０】
実施例１８に係る結像光学系は、図１８（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０３２１】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凸正レンズＬ４と、両凹負レンズＬ５と、で構成されている。ここで、負メニスカスレンズＬ３、両凸正レンズＬ４及び両凹負レンズＬ５が接合されている。
【０３２２】
第２レンズ群Ｇ２は、両凹負レンズＬ６と、両凸正レンズＬ７と、両凸正レンズＬ８と、両凸正レンズＬ９と、像側に凸面を向けた負メニスカスレンズＬ１０と、で構成されている。ここで、両凹負レンズＬ６と両凸正レンズＬ７とが接合されている。また、両凸正レンズＬ９と負メニスカスレンズＬ１０とが接合されている。
【０３２３】
第３レンズ群Ｇ３は、物体側に凸面を向けた負メニスカスレンズＬ１１で構成されている。
【０３２４】
第４レンズ群Ｇ４は、両凸正レンズＬ１２と、像側に凸面を向けた負メニスカスレンズＬ１３と、で構成されている。
【０３２５】
ここで、第１レンズ群Ｇ１が所定のレンズ群である。また、負メニスカスレンズＬ３、両凸正レンズＬ４及び両凹負レンズＬ５で、第１の接合レンズが構成されている。また、両凹負レンズＬ６と両凸正レンズＬ７とで、第２の接合レンズが構成されている。また、両凸正レンズＬ９と負メニスカスレンズＬ１０とで、第３の接合レンズが構成されている。
【０３２６】
また、無限遠物体から近距離物体への合焦時に、負メニスカスレンズＬ１１が光軸に沿って像側へ移動すると共に、両凸正レンズＬ１２が光軸に沿って物体側に移動する。
【０３２７】
非球面は、負メニスカスレンズＬ２の両面と、負メニスカスレンズＬ１１の両面と、両凸正レンズＬ１２の両面と、の合計６面に設けられている。
【０３２８】
実施例１９に係る結像光学系は、図１９（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０３２９】
第１レンズ群Ｇ１は、物体側に凸面を向けた負メニスカスレンズＬ１と、物体側に凸面を向けた負メニスカスレンズＬ２と、両凸正レンズＬ３と、両凹負レンズＬ４と、で構成されている。ここで、両凸正レンズＬ３と両凹負レンズＬ４とが接合されている。
【０３３０】
第２レンズ群Ｇ２は、両凹負レンズＬ５と、両凸正レンズＬ６と、両凸正レンズＬ７と、両凸正レンズＬ８と、像側に凸面を向けた負メニスカスレンズＬ９と、で構成されている。ここで、両凹負レンズＬ５と両凸正レンズＬ６とが接合されている。また、両凸正レンズＬ８と負メニスカスレンズＬ９とが接合されている。
【０３３１】
第３レンズ群Ｇ３は、物体側に凸面を向けた負メニスカスレンズＬ１０で構成されている。
【０３３２】
第４レンズ群Ｇ４は、両凸正レンズＬ１１と、物体側に凸面を向けた負メニスカスレンズＬ１２と、両凸正レンズＬ１３と、で構成されている。ここで、負メニスカスレンズＬ１２と両凸正レンズＬ１３とが接合されている。
【０３３３】
ここで、第１レンズ群Ｇ１が所定のレンズ群である。また、両凸正レンズＬ３と両凹負レンズＬ４とで、第１の接合レンズが構成されている。また、両凹負レンズＬ５と両凸正レンズＬ６とで、第２の接合レンズが構成されている。また、両凸正レンズＬ８と負メニスカスレンズＬ９とで、第３の接合レンズが構成されている。
【０３３４】
また、無限遠物体から近距離物体への合焦時に、負メニスカスレンズＬ１０が光軸に沿って像側へ移動すると共に、両凸正レンズＬ１１が光軸に沿って物体側に移動する。
【０３３５】
非球面は、負メニスカスレンズＬ２の両面と、負メニスカスレンズＬ１０の両面と、両凸正レンズＬ１１の両面と、の合計６面に設けられている。
【０３３６】
実施例２０に係る結像光学系は、図２０（ａ）に示すように、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、で構成されている。第２レンズ群Ｇ２は開口絞りＳを含んでいる。
【０３３７】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凸正レンズＬ４と、両凹負レンズＬ５と、で構成されている。ここで、負メニスカスレンズＬ３、両凸正レンズＬ４及び両凹負レンズＬ５が接合されている。
【０３３８】
第２レンズ群Ｇ２は、両凹負レンズＬ６と、両凸正レンズＬ７と、両凸正レンズＬ８と、両凸正レンズＬ９と、像側に凸面を向けた負メニスカスレンズＬ１０と、で構成されている。ここで、両凹負レンズＬ６と両凸正レンズＬ７とが接合されている。また、両凸正レンズＬ９と負メニスカスレンズＬ１０とが接合されている。
【０３３９】
第３レンズ群Ｇ３は、物体側に凸面を向けた負メニスカスレンズＬ１１で構成されている。
【０３４０】
第４レンズ群Ｇ４は、両凸正レンズＬ１２と、両凹負レンズＬ１３と、で構成されている。
【０３４１】
ここで、第１レンズ群Ｇ１が所定のレンズ群である。また、負メニスカスレンズＬ３、両凸正レンズＬ４及び両凹負レンズＬ５で、第１の接合レンズが構成されている。また、両凹負レンズＬ６と両凸正レンズＬ７とで、第２の接合レンズが構成されている。また、両凸正レンズＬ９と負メニスカスレンズＬ１０とで、第３の接合レンズが構成されている。
【０３４２】
また、無限遠物体から近距離物体への合焦時に、負メニスカスレンズＬ１１が光軸に沿って像側へ移動すると共に、両凸正レンズＬ１２が光軸に沿って物体側に移動する。
【０３４３】
非球面は、負メニスカスレンズＬ２の両面と、負メニスカスレンズＬ１１の両面と、両凸正レンズＬ１２の両面と、の合計６面に設けられている。
【０３４４】
次に、上記各実施例の結像光学系を構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッベ数、＊印は非球面である。また、各種データにおいて、ｆは結像光学系全系の焦点距離、ＦＮＯ．はＦナンバー、ωは半画角、ＩＨは像高、ＦＢはバックフォーカスである。なお、全長は、レンズ最前面からレンズ最終面までの距離にバックフォーカスを加えたものである。バックフォーカスは、レンズ最終面から近軸像面までの距離を空気換算して表したものである。また、角度の単位は°（度）である。
【０３４５】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０-n」を示している。なお、これら諸元値の記号は後述の実施例の数値データにおいても共通である。
【０３４６】
数値実施例１
単位  ｍｍ
面データ
面番号         r          d         nd       νd
物面        ∞         ∞
1      55.000      1.50     1.48749    70.23
2      15.910      4.92
3      22.804      1.50     1.49700    81.61
4      13.911      5.69
5      46.637      1.50     1.74320    49.34
6*     18.515      3.21
7     129.872      2.66     2.00100    29.13
8     -86.634      0.40
9      33.953      4.06     2.00100    29.13
10    -103.511      1.00     1.54814    45.79
11      18.116      7.11
12     -43.091      1.20     1.84666    23.78
13      18.546      6.63     1.72000    43.69
14     -54.065      1.40
15(絞り)  ∞        1.00
16      65.628      6.75     1.91082    35.25
17     -28.862      0.40
18      39.343      7.33     1.49700    81.61
19     -20.569      1.20     2.00100    29.13
20     -53.055      2.10
21*     76.582      1.20     1.74320    49.34
22*     22.423      6.05
23      44.175      6.76     1.61881    63.85
24*    -17.602      0.40
25     -52.627      1.50     1.80518    25.42
26 -117478.336     11.34
27        ∞        2.66     1.51633    64.14
28        ∞        1.00
像面        ∞
非球面データ
第６面
k=0.000
A4=-1.84370e-05,A6=-5.06577e-08,A8=-3.20158e-10,A10=-1.50045e-12
第２１面
k=0.000
A4=1.32953e-05,A6=-6.53919e-08,A8=3.20080e-10
第２２面
k=0.000
A4=3.17365e-05,A6=-6.64637e-08,A8=5.90911e-10
第２４面
k=0.000
A4=4.95207e-05,A6=-7.03512e-08,A8=2.17058e-10
各種データ
ｆ              12.37
ＦＮＯ．         1.29
２ω            91.80
ＩＨ            11.15
ＦＢ (in air)   14.09
全長 (in air)   91.57
群焦点距離
f1=-31.65   f2=20.55   f3=-43.07   f4=30.31
【０３４７】
数値実施例２
単位  ｍｍ
面データ
面番号         r          d         nd       νd
物面        ∞         ∞
1      83.044      1.50     1.48749    70.23
2      20.661      2.17
3      23.930      1.50     1.49700    81.61
4      16.138      5.37
5*     21.611      1.50     1.80610    40.92
6*     11.913      2.85
7      24.962      3.44     2.00100    29.13
8      53.374      0.40
9      34.784      5.15     2.00100    29.13
10     -53.257      1.00     1.54814    45.79
11      14.970     11.39
12     -28.403      1.20     1.85478    24.80
13      20.951      6.03     1.72000    43.69
14     -33.655      0.80
15(絞り)  ∞        0.40
16      49.077      5.33     1.91082    35.25
17     -31.682      0.40
18      45.282      6.08     1.49700    81.61
19     -19.966      1.20     2.00100    29.13
20     -55.421      2.40
21*   -342.302      1.20     1.74320    49.34
22*     41.214      7.06
23*     47.308      5.70     1.69350    53.21
24*    -19.021      0.40
25     -62.081      2.00     1.80000    29.84
26   -1714.984     11.27
27        ∞        2.66     1.51633    64.14
28        ∞        1.00
像面        ∞
非球面データ
第５面
k=0.000
A4=-3.99414e-05,A6=-5.18429e-08,A8=6.69658e-14
第６面
k=-0.577
A4=-4.36841e-05,A6=-1.95530e-07,A8=3.83789e-11
第２１面
k=0.000
A4=6.67877e-05,A6=-1.58982e-07,A8=4.64529e-10
第２２面
k=0.000
A4=7.70376e-05,A6=-5.50923e-08,A8=5.33851e-10
第２３面
k=0.000
A4=-1.24954e-05,A6=8.81283e-08,A8=9.00353e-12
第２４面
k=0.000
A4=4.48788e-05,A6=-4.00730e-08,A8=3.07057e-10
各種データ
ｆ              12.22
ＦＮＯ．         1.28
２ω            92.31
ＩＨ            11.15
ＦＢ (in air)   14.02
全長 (in air)   90.50
群焦点距離
f1=-30.68   f2=21.00   f3=-49.43   f4=26.50
【０３４８】
数値実施例３
単位  ｍｍ
面データ
面番号         r          d         nd       νd
物面        ∞         ∞
1      50.000      1.50     1.59522    67.74
2      13.648      7.82
3*     92.631      1.00     1.49700    81.61
4*     15.753      4.52
5      62.631      3.78     2.00100    29.13
6     -43.739      1.00     1.43875    94.93
7    1300.324      9.40
8    -152.146      1.20     1.80518    25.42
9      16.490      5.57     1.49700    81.61
10     -54.381      4.05
11(絞り)  ∞        1.00
12      50.450      4.38     2.00100    29.13
13     -32.930      0.40
14      34.206      5.53     1.59522    67.74
15     -20.364      1.20     1.84666    23.78
16     232.456      2.32
17*    107.461      1.20     1.72903    54.04
18*     18.009      6.43
19*     46.207      5.77     1.72903    54.04
20*    -15.866      0.40
21     -35.028      1.00     1.84666    23.78
22    -267.948     11.35
23        ∞        2.66     1.51633    64.14
24        ∞        1.00
像面        ∞
非球面データ
第３面
k=0.000
A4=-1.36094e-05,A6=-6.27185e-08
第４面
k=0.000
A4=-4.47225e-05,A6=-2.03357e-07,A8=-4.22299e-10
第１７面
k=0.000
A4=1.20627e-05,A6=-2.61967e-07,A8=8.60374e-10
第１８面
k=0.000
A4=3.74036e-05,A6=-2.14913e-07
第１９面
k=0.000
A4=5.78649e-06,A6=8.61366e-08,A8=-2.43718e-10
第２０面
k=0.000
A4=6.44174e-05,A6=-3.77935e-08,A8=5.92557e-10
各種データ
ｆ              12.37
ＦＮＯ．         1.41
２ω            91.71
ＩＨ            11.15
ＦＢ (in air)   14.10
全長 (in air)   83.58
群焦点距離
f1=-51.99   f2=20.39   f3=-29.84   f4=25.10
【０３４９】
数値実施例４
単位  ｍｍ
面データ
面番号         r          d         nd       νd
物面        ∞         ∞
1      45.098      1.50     1.48749    70.23
2      18.539      1.95
3      21.083      1.50     1.72916    54.68
4      14.117      4.99
5*     19.014      1.50     1.80610    40.92
6*     10.725      2.91
7      25.870      3.45     2.00100    29.13
8      77.203      0.53
9      41.845      4.43     2.00100    29.13
10     -39.803      1.00     1.54814    45.79
11      14.737      8.27
12     -25.729      1.20     1.85478    24.80
13      22.371      4.87     1.72000    43.69
14     -30.252      0.84
15(絞り)  ∞        0.40
16      50.721      4.61     1.91082    35.25
17     -27.243      0.40
18      62.166      5.01     1.49700    81.61
19     -17.526      1.20     2.00100    29.13
20     -39.549      2.40
21*   -637.328      1.20     1.74320    49.34
22*     36.803      6.73
23*     41.788      6.17     1.69350    53.21
24*    -16.602      0.40
25     -35.183      2.00     1.84666    23.78
26    -230.322     11.35
27        ∞        2.66     1.51633    64.14
28        ∞        1.00
像面        ∞
非球面データ
第５面
k=0.000
A4=-6.79321e-05,A6=-8.02738e-08
第６面
k=-0.560
A4=-7.49950e-05,A6=-3.46303e-07,A8=2.25935e-10
第２１面
k=0.000
A4=6.91286e-05,A6=-2.58182e-07,A8=9.71591e-10
第２２面
k=0.000
A4=8.55270e-05,A6=-1.70347e-07,A8=9.97225e-10
第２３面
k=0.000
A4=2.63288e-06,A6=7.98087e-08,A8=7.17631e-12
第２４面
k=0.000
A4=7.02984e-05,A6=-4.69949e-08,A8=5.44468e-10
各種データ
ｆ              12.22
ＦＮＯ．         1.43
２ω            92.38
ＩＨ            11.15
ＦＢ (in air)   14.11
全長 (in air)   83.58
群焦点距離
f1=-27.24   f2=19.53   f3=-46.78   f4=27.02
【０３５０】
数値実施例５
単位  ｍｍ
面データ
面番号         r          d         nd       νd
物面        ∞         ∞
1      55.000      1.50     1.51633    64.14
2*     18.170      4.00
3      28.573      1.50     1.43875    94.93
4      15.059      5.57
5      39.782      1.50     1.49700    81.61
6      21.771      6.21     2.00100    29.13
7    -163.886      1.00     1.51633    64.14
8      15.085      7.58
9     -20.995      1.20     1.84666    23.78
10      20.978      6.12     1.72916    54.68
11     -34.822      1.40
12(絞り)  ∞        1.00
13      83.738      6.07     1.90366    31.32
14     -27.721      0.40
15      22.240      8.81     1.43875    94.93
16     -22.947      1.20     2.00100    29.13
17     -60.576      2.10
18*    108.640      1.20     1.74320    49.34
19*     22.708      6.73
20*     45.350      6.49     1.72903    54.04
21*    -18.174      0.40
22     -32.398      1.50     1.80518    25.42
23     -99.166     11.33
24        ∞        2.66     1.51633    64.14
25        ∞        1.00
像面        ∞
非球面データ
第２面
k=0.000
A4=-6.23121e-06,A6=1.18132e-08,A8=-1.23403e-10
第１８面
k=0.000
A4=4.49362e-05,A6=-2.70140e-07,A8=3.65234e-10
第１９面
k=0.000
A4=6.80175e-05,A6=-1.65974e-07,A8=-4.13549e-10
第２０面
k=0.000
A4=-8.97352e-07,A6=7.39063e-08,A8=-2.52588e-10
第２１面
k=0.000
A4=3.80931e-05,A6=-7.73568e-09,A8=1.28690e-10
各種データ
ｆ              14.43
ＦＮＯ．         1.25
２ω            82.08
ＩＨ            11.15
ＦＢ (in air)   14.08
全長 (in air)   87.56
各群焦点距離
f1=-37.44   f2=19.75   f3=-38.86   f4=26.18
【０３５１】
数値実施例６
単位  ｍｍ
面データ
面番号         r          d         nd       νd
物面        ∞         ∞
1      60.000      1.50     1.59522    67.74
2      12.478      5.84
3*     40.000      1.00     1.49700    81.61
4*     14.998      3.16
5      35.972      3.92     2.00100    29.13
6     -42.320      1.00     1.43875    94.93
7     414.837      4.27
8     -27.030      1.20     1.80518    25.42
9      18.406      5.66     1.49700    81.61
10     -30.278      1.40
11(絞り)  ∞        1.00
12      68.685      4.59     2.00100    29.13
13     -26.820      0.40
14      36.721      5.71     1.59522    67.74
15     -19.927      1.20     1.84666    23.78
16     694.790      2.80
17*     75.396      1.20     1.72903    54.04
18*     17.574      5.84
19*     41.636      6.00     1.72903    54.04
20*    -16.928      0.40
21     -32.103      1.40     1.84666    23.78
22    -107.619     11.35
23        ∞        2.66     1.51633    64.14
24        ∞        1.00
像面        ∞
非球面データ
第３面
k=0.000
A4=-2.55995e-05,A6=-8.99603e-08
第４面
k=0.000
A4=-5.23687e-05,A6=-2.97602e-07,A8=-1.85881e-10
第１７面
k=0.000
A4=-4.88103e-06,A6=-1.26125e-07,A8=5.63953e-10
第１８面
k=0.000
A4=1.93156e-05,A6=-1.60732e-07
第１９面
k=0.000
A4=1.68798e-05,A6=1.86070e-08,A8=2.04658e-11
第２０面
k=0.000
A4=5.56507e-05,A6=-3.84768e-08,A8=5.56560e-10
各種データ
ｆ              14.28
ＦＮＯ．         1.41
２ω            83.51
ＩＨ            11.15
ＦＢ (in air)   14.10
全長 (in air)   73.58
群焦点距離
f1=-187.16   f2=22.21   f3=-31.71   f4=24.51
【０３５２】
数値実施例７
単位  ｍｍ
面データ
面番号         r          d         nd       νd
物面        ∞         ∞
1    5148.256      1.50     1.48749    70.23
2*     18.807      6.39
3      42.326      3.23     1.84666    23.78
4     346.117      0.40
5      24.689      3.11     2.00100    29.13
6      55.765      1.00     1.66680    33.05
7      14.112      8.98
8     -15.886      1.20     1.69895    30.13
9      31.567      7.04     1.49700    81.61
10     -20.543      1.40
11(絞り)  ∞        1.00
12      87.111      5.41     2.00100    29.13
13     -35.861      0.40
14      35.014      6.91     1.64000    60.08
15     -28.217      1.20     1.84666    23.78
16     127.412      2.10
17*     61.800      1.20     1.69680    55.53
18*     22.454      7.85
19      41.243      6.36     1.49700    81.61
20*    -18.974      0.40
21      27.365      2.00     1.84666    23.78
22      22.950     13.74
23        ∞        2.66     1.51633    64.14
24        ∞        1.00
像面        ∞
非球面データ
第２面
k=0.000
A4=-7.77095e-06,A6=-3.61202e-08,A8=8.79759e-11,A10=-5.37766e-13
第１７面
k=0.000
A4=7.47784e-06,A6=-1.60739e-07,A8=3.61719e-10
第１８面
k=0.000
A4=2.12764e-05,A6=-1.70569e-07,A8=1.89648e-10,A10=4.41707e-13
第２０面
k=0.000
A4=3.68441e-05,A6=-4.88703e-08,A8=2.31428e-10
各種データ
ｆ              17.53
ＦＮＯ．         1.29
２ω            70.49
ＩＨ            11.15
ＦＢ (in air)   16.49
全長 (in air)   85.58
群焦点距離
f1=-63.42   f2=24.06   f3=-51.26   f4=29.44
【０３５３】
数値実施例８
単位  ｍｍ
面データ
面番号         r          d         nd       νd
物面        ∞         ∞
1      50.000      1.50     1.59522    67.74
2      16.786      4.17
3*     51.357      1.00     1.49700    81.61
4*     19.813      2.49
5      46.028      3.31     2.00100    29.13
6     -55.727      1.00     1.43875    94.93
7      39.491      6.62
8     -25.698      1.20     1.80518    25.42
9      27.710      5.68     1.49700    81.61
10     -24.016      1.40
11(絞り)  ∞        1.00
12     108.354      4.48     2.00100    29.13
13     -29.617      0.40
14      24.807      6.00     1.59522    67.74
15     -36.499      1.20     1.84666    23.78
16      62.738      2.10
17*     35.827      1.20     1.72903    54.04
18*     16.512      5.50 
19*     52.670      4.64     1.72903    54.04
20*    -23.182      0.40
21     123.676      2.84     1.84666    23.78
22      37.648     12.71
23        ∞        2.66     1.51633    64.14
24        ∞        1.00
像面        ∞
非球面データ
第３面
k=0.000
A4=-3.26020e-05,A6=-7.50663e-08
第４面
k=0.000
A4=-9.81172e-06,A6=-9.11363e-08,A8=2.46376e-10
第１７面
k=0.000
A4=-7.48122e-06,A6=-1.48889e-07,A8=5.33611e-10
第１８面
k=0.000
A4=1.01588e-05,A6=-1.82412e-07
第１９面
k=0.000
A4=2.03136e-05,A6=2.24409e-08,A8=1.17085e-10
第２０面
k=0.000
A4=3.46499e-05,A6=-5.41179e-08,A8=4.32985e-10
各種データ
ｆ              17.53
ＦＮＯ．         1.42
２ω            72.05
ＩＨ            11.15
ＦＢ (in air)   15.46
全長 (in air)   73.58
群焦点距離
f1=-64.97   f2=22.23   f3=-43.14   f4=32.17
【０３５４】
数値実施例９
単位  ｍｍ
面データ
面番号         r          d         nd       νd
物面        ∞         ∞
1     116.266      1.50     1.51633    64.14
2*     25.717      3.68
3      60.055      3.25     2.00100    29.13
4     549.816      0.40
5      25.750      4.30     2.00100    29.13
6      73.371      2.59     1.69895    30.13
7      15.387     10.67
8     -16.516      1.20     1.72825    28.46
9      31.039      8.00     1.49700    81.61
10     -22.028      1.40
11(絞り)  ∞        1.00
12     110.340      5.84     2.00100    29.13
13     -36.817      0.40
14      32.663      7.08     1.72916    54.68
15     -38.391      1.20     2.00069    25.46
16     148.534      2.10
17*     59.611      1.20     1.74320    49.34
18*     20.525      7.68
19*     73.228      5.69     1.49700    81.61
20*    -19.916      0.40
21      23.197      2.00     2.00100    29.13
22      20.305     14.24
23        ∞        2.66     1.51633    64.14
24        ∞        1.00
像面        ∞
非球面データ
第２面
k=0.000
A4=-2.54908e-06,A6=-1.26063e-08,A8=2.84478e-11,A10=-9.00492e-14
第１７面
k=0.000
A4=2.07770e-06,A6=-1.50101e-07,A8=3.10129e-10
第１８面
k=0.000
A4=1.40527e-05,A6=-1.50608e-07,A8=-2.97060e-11,A10=4.02049e-13
第１９面
k=0.000
A4=1.44890e-06,A6=4.50889e-08,A8=-1.12829e-10
第２０面
k=0.000
A4=2.07584e-05,A6=-6.95062e-09,A8=1.34767e-10
各種データ
ｆ              24.74
ＦＮＯ．         1.29
２ω            48.82
ＩＨ            11.15
ＦＢ (in air)   17.00
全長 (in air)   88.58
群焦点距離
f1=-238.21   f2=23.20   f3=-42.68   f4=34.77
【０３５５】
数値実施例１０
単位  ｍｍ
面データ
面番号         r          d         nd       νd
物面        ∞         ∞
1      44.574      1.50     1.48749    70.23
2      15.584      8.50
3*   -659.095      1.20     1.49700    81.61
4*     25.626      1.71
5      29.244      6.27     2.00069    25.46
6     -34.706      1.20     1.58144    40.75
7      23.314      4.79
8     -26.565      1.20     1.85478    24.80
9      25.266      6.29     1.69680    55.53
10     -35.206      0.20
11      61.090      4.37     1.72916    54.68
12     -42.527      0.20
13      49.281      5.00     1.69680    55.53
14    -104.266      1.50     1.85478    24.80
15    -156.094      0.60
16(絞り)  ∞        3.40
17*    113.215      1.20     1.85400    40.39
18*     24.921      9.08
19      67.113      3.70     1.72916    54.68
20     -45.208      0.20
21      29.445      4.61     2.00100    29.13
22     -60.934      1.20     1.85478    24.80
23      19.276      1.83
24      37.289      2.70     1.72916    54.68
25    2981.268     11.34
26        ∞        2.66     1.51633    64.14
27        ∞        1.00
像面        ∞
非球面データ
第３面
k=0.000
A4=-1.71558e-05,A6=-1.08272e-08,A8=-3.91577e-11
第４面
k=0.000
A4=-2.61471e-06,A6=-3.46749e-08,A8=1.55161e-11
第１７面
k=0.000
A4=-6.00990e-06,A6=5.45326e-09
第１８面
k=0.000
A4=-1.45040e-09,A6=6.67983e-10
各種データ
ｆ              17.27
ＦＮＯ．         1.29
２ω            72.93
ＩＨ            11.15
ＦＢ (in air)   14.10
全長 (in air)   86.56
群焦点距離
f1=-59.77   f2=25.61   f3=-37.65   f4=24.48
【０３５６】
数値実施例１１
単位  ｍｍ
面データ
面番号         r          d         nd       νd
物面        ∞         ∞
1      47.643      1.50     1.48749    70.23
2      18.906      6.89
3      34.644      1.50     1.49700    81.61
4      14.800      5.23
5*     17.187      1.50     1.80610    40.92
6*     11.161      2.41
7      23.928      8.36     2.00100    29.13
8     -30.498      1.00     1.54814    45.79
9      17.470      7.52
10     -24.084      1.20     1.85478    24.80
11      20.703      5.93     1.72000    43.69
12     -37.961      0.80
13(絞り)  ∞        0.40
14      54.341      5.44     1.91082    35.25
15     -30.412      0.40
16      39.754      7.01     1.49700    81.61
17     -19.594      1.20     2.00100    29.13
18     -38.465      2.40
19*    414.161      1.00     1.90366    31.32
20      18.000      2.30     1.85478    24.80
21      25.940      6.12
22*     33.842      6.35     1.69350    53.21
23*    -18.468      0.40
24    -276.994      2.00     1.80000    29.84
25      85.548     11.94
26        ∞        2.66     1.51633    64.14
27        ∞        1.00
像面        ∞
非球面データ
第５面
k=0.000
A4=-8.57246e-05,A6=-1.03782e-08,A8=-1.94414e-10
第６面
k=-0.692
A4=-7.83164e-05,A6=-1.21507e-07,A8=1.96340e-10
第１９面
k=0.000
A4=-1.55962e-05,A6=-6.30133e-09,A8=2.61539e-10
第２２面
k=0.000
A4=-5.62796e-06,A6=9.16059e-09,A8=8.83497e-11
第２３面
k=0.000
A4=4.94331e-05,A6=-6.53931e-08,A8=4.43411e-10
各種データ
ｆ              12.22
ＦＮＯ．         1.28
２ω            92.46
ＩＨ            11.15
ＦＢ (in air)   14.70
全長 (in air)   93.58
群焦点距離
f1=-31.67   f2=19.88   f3=-29.88   f4=22.38
【０３５７】
数値実施例１２
単位  ｍｍ
面データ
面番号         r          d         nd       νd
物面        ∞         ∞
1      45.722      1.50     1.48749    70.23
2      17.855      7.13
3      36.016      1.50     1.49700    81.61
4      15.632      4.52
5*     18.581      1.50     1.80610    40.92
6*     11.935      1.94
7      24.600      7.59     2.00100    29.13
8     -31.878      2.38     1.54814    45.79
9      16.765      8.06
10     -26.687      1.20     1.85478    24.80
11      23.196      5.57     1.72000    43.69
12     -32.692      0.80
13(絞り)  ∞        0.40
14      53.958      5.01     1.91082    35.25
15     -30.706      0.55
16      60.710      5.80     1.49700    81.61
17     -19.901      1.20     2.00100    29.13
18     -41.858      2.42
19    -234.486      3.86     1.84666    23.78
20     -18.422      1.01     1.76182    26.52
21*     29.085      6.88
22*     36.524      6.22     1.69350    53.21
23*    -19.090      0.41
24     -51.703      2.00     1.84666    23.78
25    -133.252     11.37
26        ∞        2.66     1.51633    64.14
27        ∞        1.00
像面        ∞
非球面データ
第５面
k=0.000
A4=-8.59295e-05,A6=-1.94871e-08,A8=-6.46329e-11
第６面
k=-0.634
A4=-8.64751e-05,A6=-1.30688e-07,A8=3.42520e-10
第２１面
k=0.000
A4=1.79113e-05,A6=3.98127e-08,A8=-9.48115e-11
第２２面
k=0.000
A4=-3.31913e-06,A6=3.95668e-08,A8=-5.21567e-11
第２３面
k=0.000
A4=4.54848e-05,A6=-2.78523e-08,A8=1.95054e-10
各種データ
ｆ              12.22
ＦＮＯ．         1.28
２ω            92.43
ＩＨ            11.15
ＦＢ (in air)   14.13
全長 (in air)   93.58
群焦点距離
f1=-28.27   f2=20.78   f3=-39.46   f4=23.03
【０３５８】
数値実施例１３
単位  ｍｍ
面データ
面番号         r          d         nd       νd
物面        ∞         ∞
1      55.000      1.50     1.69350    53.21
2      13.167      6.25
3*     16.098      1.50     1.80610    40.92
4*     10.905      2.73
5      54.248      3.41     2.00100    29.13
6     -75.122      0.68
7      93.731      3.44     2.00100    29.13
8     -36.465      1.00     1.54814    45.79
9      16.566      7.86
10     -19.643      1.20     1.85478    24.80
11     879.391      4.00     1.72000    43.69
12     -21.663      1.38
13(絞り)  ∞        0.40
14     104.934      3.50     1.91082    35.25
15     -34.726      0.40
16      36.885      5.93     1.43700    95.10
17     -21.076      1.20     2.00100    29.13
18     -30.000      4.40
19*    -46.884      2.00     1.80610    40.88
20     -22.514      0.40
21     -44.553      1.00     1.80518    25.42
22      21.983      7.49
23*     40.051      5.40     1.69350    53.21
24*    -20.046      0.40
25     -42.305      2.00     1.84666    23.78
26     -47.276     11.35
27        ∞        2.66     1.51633    64.14
28        ∞        1.00
像面        ∞
非球面データ
第３面
k=0.000
A4=-2.15321e-04,A6=6.74789e-07,A8=-2.02453e-09
第４面
k=-1.199
A4=-1.89475e-04,A6=7.86895e-07,A8=-2.24144e-09
第１９面
k=0.000
A4=-3.76948e-05,A6=2.87051e-08
第２３面
k=0.000
A4=-6.59625e-06,A6=3.35290e-09,A8=7.61971e-13
第２４面
k=0.000
A4=2.69835e-05,A6=-3.17904e-08,A8=1.35926e-10
各種データ
ｆ              12.22
ＦＮＯ．         1.41
２ω            92.51
ＩＨ            11.15
ＦＢ (in air)   14.10
全長 (in air)   83.58
群焦点距離
f1=-27.11   f2=19.06   f3=-27.77   f4=21.08
【０３５９】
数値実施例１４
単位  ｍｍ
面データ
面番号         r          d         nd       νd
物面        ∞          ∞
1      94.461      1.50     1.48749    70.23
2      17.060      4.00
3*     24.648      1.50     1.49700    81.61
4*     15.578      2.77
5      28.855      5.84     2.00100    29.14
6     -68.444      1.01     1.51633    64.14
7      14.314      8.87
8     -19.049      1.20     1.85478    24.80
9      21.984      6.04     1.72916    54.68
10     -30.416      1.40
11(絞り)  ∞        1.00
12      90.026      5.97     2.00100    29.14
13     -30.555      0.40
14      28.214      8.26     1.49700    81.61
15     -24.399      1.20     2.00100    29.14
16     -96.064      可変
17*     80.276      1.20     1.88202    37.22
18*     25.036      可変
19*     31.198      7.41     1.59201    67.02
20*    -19.644      可変
21     -73.364      1.50     1.85478    24.80
22    -233.212     11.19
23        ∞        2.66     1.51633    64.14
24        ∞        1.00
像面        ∞
非球面データ
第３面
k=0.000
A4=1.89045e-05,A6=-2.89706e-07,A8=5.75790e-10
第４面
k=0.000
A4=1.02371e-05,A6=-3.76732e-07,A8=2.44918e-10
第１７面
k=0.000
A4=2.64635e-05,A6=-3.91852e-08,A8=9.64945e-11
第１８面
k=0.000
A4=3.16821e-05,A6=-1.05829e-08,A8=7.52656e-12
第１９面
k=0.000
A4=-8.36939e-06,A6=2.75938e-08,A8=-2.50887e-11
第２０面
k=0.000
A4=4.45445e-05,A6=-4.44198e-08,A8=2.03637e-10
各種データ
ｆ              14.43
ＦＮＯ．         1.29
２ω            82.76
ＩＨ            11.15
ＦＢ (in air)   13.94
全長 (in air)   87.07
無限遠   近距離
d16    2.10     3.69
d18    7.85     5.20
d20    2.10     3.17
群焦点距離
f1=-35.04   f2=21.51   f3=-41.67   f4-1=21.53   f4-2=-125.76
【０３６０】
数値実施例１５
単位  ｍｍ
面データ
面番号         r          d         nd       νd
物面        ∞          ∞
1      39.248      1.50     1.48749    70.23
2      17.000      4.00
3*     24.002      1.50     1.49700    81.61
4*     14.349      4.51
5      65.084      1.50     1.43700    95.00
6      22.522      0.81
7      25.834      5.03     2.00100    29.14
8     -61.404      1.00     1.51633    64.14
9      15.190      7.21
10     -20.209      1.20     1.84666    23.78
11      21.020      5.71     1.72916    54.68
12     -33.368      1.40
13(絞り)  ∞        1.00
14      91.934      5.42     2.00100    29.14
15     -28.949      0.40
16      28.443      7.32     1.49700    81.61
17     -24.446      1.20     2.00100    29.14
18    -100.478      可変
19*     71.730      1.20     1.88202    37.22
20*     24.866      可変
21*     33.158      6.93     1.59201    67.02
22*    -19.644      可変
23    -127.949      1.50     1.84666    23.78
24     494.026     11.46
25        ∞        2.66     1.51633    64.14
26        ∞        1.00
像面        ∞
非球面データ
第３面
k=0.000
A4=1.15247e-05,A6=-2.93936e-07,A8=5.98745e-10
第４面
k=0.000
A4=8.69902e-06,A6=-3.66102e-07,A8=-8.05586e-11
第１９面
k=0.000
A4=3.09849e-05,A6=-7.67649e-08,A8=1.52039e-10
第２０面
k=0.000
A4=3.80996e-05,A6=-5.06882e-08,A8=6.79340e-11
第２１面
k=0.000
A4=-7.46752e-06,A6=2.20795e-08,A8=-3.76506e-12
第２２面
k=0.000
A4=4.26645e-05,A6=-4.46638e-08,A8=2.07315e-10
各種データ
ｆ              14.43
ＦＮＯ．         1.29
２ω            82.90
ＩＨ            11.15
ＦＢ (in air)   14.21
全長 (in air)   87.58
無限遠   近距離
d18    2.10     5.18
d20    8.84     4.73
d22    2.10     3.13
各群焦点距離
f1=-33.73    f2=21.50   f3=-43.68   f4-1=21.91   f4-2=-119.90
【０３６１】
数値実施例１６
単位  ｍｍ
面データ
面番号         r          d         nd       νd
物面        ∞          ∞
1      54.301      1.50     1.48749    70.23
2      17.105      4.00
3*     22.655      1.50     1.49700    81.61
4*     13.783      5.65
5      47.419      4.91     2.00100    29.14
6     -40.946      1.50     1.49700    81.61
7      17.739      6.17
8     -18.916      1.20     1.85478    24.80
9      22.938      5.88     1.72916    54.68
10     -30.236      1.43
11(絞り)  ∞        1.00
12      86.514      5.50     2.00100    29.14
13     -30.725      0.40
14      31.726      7.58     1.49700    81.61
15     -23.755      1.20     2.00100    29.14
16     -72.101      可変
17*     58.976      1.20     1.88202    37.22
18*     23.004      可変
19      35.206      1.50     1.85478    24.80
20      21.523      7.64     1.69350    53.21
21*    -23.391      可変
22     -89.135      1.50     1.85478    24.80
23    -355.544     10.81
24        ∞        2.66     1.51633    64.14
25        ∞        1.00
像面        ∞
非球面データ
第３面
k=0.000
A4=4.11853e-05,A6=-5.16604e-07,A8=1.05864e-09
第４面
k=0.000
A4=4.38670e-05,A6=-6.01995e-07,A8=-1.18982e-10
第１７面
k=0.000
A4=-8.15788e-06,A6=1.62936e-07,A8=-2.77428e-10
第１８面
k=0.000
A4=-5.38507e-06,A6=1.41312e-07,A8=-6.87814e-11
第２１面
k=0.000
A4=3.31222e-05,A6=-3.47713e-08,A8=4.91193e-11
各種データ
ｆ              14.43
ＦＮＯ．         1.28
２ω            82.67
ＩＨ            11.15
ＦＢ (in air)   13.57
全長 (in air)   86.94
無限遠   近距離
d16    2.10     4.37
d18    7.69     5.40
d21    2.31     2.33
各群焦点距離
f1=-36.39   f2=21.52   f3=-43.44   f4-1=22.87   f4-2=-139.53
【０３６２】
数値実施例１７
単位  ｍｍ
面データ
面番号         r          d         nd       νd
物面        ∞          ∞
1      56.666      1.50     1.48749    70.23
2      17.381      4.00
3*     26.130      1.50     1.49700    81.61
4*     14.593      5.45
5      36.407      5.70     2.00100    29.14
6     -43.000      1.07     1.51633    64.14
7      17.284      6.73
8     -16.026      1.20     1.85478    24.80
9      31.874      5.80     1.72916    54.68
10     -24.566      1.40
11(絞り)  ∞        1.00
12      74.674      5.36     2.00100    29.14
13     -35.918      0.40
14      38.381      7.78     1.49700    81.61
15     -21.723      1.20     2.00100    29.14
16     -51.835      可変
17*   -876.835      1.90     1.49700    81.61
18    4834.356      1.01     1.88202    37.22
19*     34.099      可変
20*     26.746      7.90     1.59201    67.02
21*    -19.467      可変
22    -101.033      1.50     1.85478    24.80
23     665.463     11.44
24        ∞        2.66     1.51633    64.14
25        ∞        1.00
像面        ∞
非球面データ
第３面
k=0.000
A4=3.02491e-05,A6=-2.96892e-07,A8=7.24372e-10
第４面
k=0.000
A4=2.08903e-05,A6=-3.62573e-07,A8=-1.14396e-10
第１７面
k=0.000
A4=4.34401e-05,A6=-7.16017e-08,A8=2.37592e-10
第１９面
k=0.000
A4=2.76916e-05,A6=-1.05004e-08,A8=3.38439e-11
第２０面
k=0.000
A4=-1.95186e-05,A6=2.00819e-08,A8=-8.54673e-12
第２１面
k=0.000
A4=4.36333e-05,A6=-5.29835e-08,A8=2.29440e-10
各種データ
ｆ              14.43
ＦＮＯ．         1.28
２ω            80.38
ＩＨ            11.15
ＦＢ (in air)   14.19
全長 (in air)   87.58
無限遠   近距離
d16    2.10     3.56
d19    6.79     4.14
d21    2.10     3.29
各群焦点距離
f1=-42.06   f2=22.59   f3=-37.91   f4-1=20.32   f4-2=-102.53
【０３６３】
数値実施例１８
単位  ｍｍ
面データ
面番号         r          d         nd       νd
物面        ∞          ∞
1      45.929      1.50     1.48749    70.23
2      17.901      4.00
3*     24.421      1.50     1.49700    81.61
4*     14.462      5.17
5      52.566      1.50     1.43700    95.00
6      28.072      5.41     2.00100    29.14
7     -71.603      1.00     1.51633    64.14
8      15.139      7.33
9     -18.586      1.20     1.85478    24.80
10      21.871      5.95     1.72916    54.68
11     -29.638      1.40
12(絞り)  ∞        1.00
13      94.121      5.54     2.00100    29.14
14     -29.643      0.40
15      27.732      7.76     1.49700    81.61
16     -24.212      1.20     2.00100    29.14
17     -99.919      可変
18*     65.587      1.20     1.88202    37.22
19*     24.192      可変
20*     32.429      7.04     1.59201    67.02
21*    -18.988      可変
22     -70.072      1.50     1.85478    24.80
23    -618.266     11.44
24        ∞        2.66     1.51633    64.14
25        ∞        1.00
像面        ∞
非球面データ
第３面
k=0.000
A4=1.85778e-05,A6=-2.66707e-07,A8=5.45926e-10
第４面
k=0.000
A4=1.59076e-05,A6=-3.30881e-07,A8=-4.15775e-11
第１８面
k=0.000
A4=2.16423e-05,A6=-8.58061e-09,A8=-1.86603e-11
第１９面
k=0.000
A4=2.63675e-05,A6=2.34271e-08,A8=-1.58562e-10
第２０面
k=0.000
A4=-8.13151e-06,A6=3.39928e-08,A8=-5.41088e-11
第２１面
k=0.000
A4=4.56091e-05,A6=-3.72661e-08,A8=2.01968e-10
各種データ
ｆ              14.43
ＦＮＯ．         1.29
２ω            82.81
ＩＨ            11.15
ＦＢ (in air)   14.20
全長 (in air)   87.58
無限遠   近距離
d17    2.10     4.61
d19    7.58     4.10
d21    2.10     3.07
各群焦点距離
f1=-34.20   f2=21.41   f3=-44.06   f4-1=21.31   f4-2=-92.57
【０３６４】
数値実施例１９
単位  ｍｍ
面データ
面番号         r          d         nd       νd
物面        ∞          ∞
1      45.008      1.50     1.48749    70.23
2      17.046      4.00
3*     22.438      1.50     1.49700    81.61
4*     13.681      4.48
5      34.466      4.65     2.00100    29.14
6     -62.294      1.00     1.72916    54.68
7      19.420      6.87
8     -14.340      1.20     1.85478    24.80
9      95.953      5.47     1.72916    54.68
10     -22.600      0.40
11     293.755      5.06     2.00100    29.14
12     -29.371      0.40
13      39.907      7.06     1.72916    54.68
14     -24.360      1.20     2.00100    29.14
15    -106.741      1.00
16(絞り)  ∞        可変
17*     59.258      1.20     1.88202    37.22
18*     22.886      可変
19*     33.671      6.24     1.49700    81.61
20*    -22.429      可変
21     288.426      1.50     1.85478    24.80
22      42.487      3.57     1.72916    54.68
23    -112.933     11.29
24        ∞        2.66     1.51633    64.14
25        ∞        1.00
像面        ∞
非球面データ
第３面
k=0.000
A4=5.55439e-05,A6=-3.89810e-07,A8=7.66562e-10
第４面
k=0.000
A4=5.44310e-05,A6=-4.20176e-07,A8=-3.46582e-10
第１７面
k=0.000
A4=-4.48820e-06,A6=1.23396e-07,A8=-3.36602e-10
第１８面
k=0.000
A4=-5.47399e-07,A6=1.13967e-07,A8=-2.33908e-10
第１９面
k=0.000
A4=-9.41048e-06,A6=1.43643e-08,A8=-5.00206e-11
第２０面
k=0.000
A4=2.60519e-05,A6=-2.74315e-08,A8=5.37828e-11
各種データ
ｆ              14.43
ＦＮＯ．         1.28
２ω            82.68
ＩＨ            11.15
ＦＢ (in air)   14.04
全長 (in air)   87.19
無限遠   近距離
d16    4.10     7.52
d18    8.66     4.51
d20    2.10     2.83
各群焦点距離
f1=-27.14   f2=20.91   f3=-42.94   f4-1=28.13   f4-2=154.92 
【０３６５】
数値実施例２０
単位  ｍｍ
面データ
面番号         r          d         nd       νd
物面        ∞          ∞
1      45.021      1.50     1.48749    70.23
2      17.089      4.00
3*     25.009      1.50     1.49700    81.61
4*     14.482      3.93
5      36.203      1.50     1.49700    81.61
6      29.038      5.10     2.00100    29.14
7     -64.681      1.00     1.72916    54.68
8      18.777      8.10
9     -15.448      1.20     1.85478    24.80
10      60.925      5.60     1.72916    54.68
11     -24.189      0.40
12     161.297      5.43     2.00100    29.14
13     -30.080      0.40
14      35.296      7.27     1.72916    54.68
15     -23.379      1.20     2.00100    29.14
16    -208.117      1.00
17(絞り)  ∞        可変
18*     58.508      1.20     1.88202    37.22
19*     21.535      可変
20*     24.696      7.37     1.49700    81.61
21*    -18.101      可変
22    -362.491      1.50     1.85478    24.80
23     416.627     11.64
24        ∞        2.66     1.51633    64.14
25        ∞        1.00
像面        ∞
非球面データ
第３面
k=0.000
A4=1.42673e-05,A6=-2.24438e-07,A8=5.04218e-10
第４面
k=0.000
A4=6.33957e-06,A6=-3.06182e-07,A8=-2.98886e-11
第１８面
k=0.000
A4=-7.37564e-07,A6=9.60938e-08,A8=-5.21069e-10
第１９面
k=0.000
A4=1.50414e-06,A6=1.34443e-07,A8=-7.72431e-10
第２０面
k=0.000
A4=-2.05785e-05,A6=3.65249e-08,A8=-6.84573e-11
第２１面
k=0.000
A4=4.62016e-05,A6=-5.24478e-08,A8=3.27114e-10
各種データ
ｆ              14.43
ＦＮＯ．         1.29
２ω            82.84
ＩＨ            11.15
ＦＢ (in air)   14.39
全長 (in air)   87.65
無限遠   近距離
d17    4.10     7.40
d19    7.87     4.21
d21    2.10     2.46
各群焦点距離
f1=-27.46   f2=20.87   f3=-39.23   f4-1=22.29   f4-2=-226.57
【０３６６】
次に、各実施例における条件式（１）〜（１１）、（Ａ）〜（Ｈ）の値を掲げる。-（ハイフン）は対応値がないことを示す。
条件式           実施例１    実施例２    実施例３
(1)M4#3G/M4#4G                4.929       5.930       8.469
(2)(RN1F+RN1R)/(RN1F-RN1R)     1.814       1.662       1.751
(3)(R3GF+R3GR)/(R3GF-R3GR)     1.828       0.785       1.403
(4)f3G/f4G                 -1.421      -1.865      -1.189
(5)(RNGR+RC2F)/(RNGR-RC2F)    -0.408      -0.310       0.791
(6)(RP1F+RP1R)/(RP1F-RP1R)     0.389       0.215       0.210
(7)(RC2F+RC2R)/(RC2F-RC2R)    -8.853     -11.817       2.112
(8)(RC1F+RC1R)/(RC1F-RC1R)     3.288       2.511      -1.101
(9)(RNGF+RNGR)/(RNGF-RNGR)     1.982       1.440      -1.080
(10)(RP2F+RP2R)/(RP2F-RP2R)    0.430       0.426       0.489
(11)FB/fR                  1.526       1.451       1.562
(A)f/eN1F                   0.320       0.290       0.373
(B)(f/eAS)/Fno             0.40        0.43        0.42
(C)Tair_max/Σd              0.09        0.15        0.14
(D)(RF1F+RF1R)/(RF1F-RF1R)      -           -           -
(E)MF1/f                    -           -           -
(F)MF2/MF1                   -           -           -
(G)fF1/fF2                   -           -           -
(H)βF1/βF2                 -           -           -
条件式           実施例４    実施例５    実施例６
(1)M4#3G/M4#4G                6.195       6.925       9.275
(2)(RN1F+RN1R)/(RN1F-RN1R)     2.396       1.987       1.525
(3)(R3GF+R3GR)/(R3GF-R3GR)     0.891       1.529       1.608
(4)f3G/f4G                 -1.731      -1.484      -1.2941
(5)(RNGR+RC2F)/(RNGR-RC2F)    -0.272      -0.164       0.878
(6)(RP1F+RP1R)/(RP1F-RP1R)     0.301       0.503       0.438
(7)(RC2F+RC2R)/(RC2F-RC2R)   -12.376      -4.037     -17.643
(8)(RC1F+RC1R)/(RC1F-RC1R)     2.087       2.222      -1.1901
(9)(RNGF+RNGR)/(RNGF-RNGR)     1.971       1.756      -1.338
(10)(RP2F+RP2R)/(RP2F-RP2R)    0.431       0.428       0.422
(11)FB/fR                  1.375       1.455       1.499
(A)f/eN1F                   0.329       0.378       0.508
(B)(f/eAS)/Fno             0.45        0.49        0.49
(C)Tair_max/Σd              0.12        0.10        0.10
(D)(RF1F+RF1R)/(RF1F-RF1R)      -           -           -
(E)MF1/f                    -            -           -
(F)MF2/MF1                   -            -           -
(G)fF1/fF2                   -            -           -
(H)βF1/βF2                 -            -           -
条件式           実施例７    実施例８    実施例９
(1)M4#3G/M4#4G                8.271       5.945       6.042
(2)(RN1F+RN1R)/(RN1F-RN1R)     1.007       2.011       1.568
(3)(R3GF+R3GR)/(R3GF-R3GR)     2.141       2.710       2.050
(4)f3G/f4G                 -1.741      -1.341      -1.228
(5)(RNGR+RC2F)/(RNGR-RC2F)    -0.059       0.212      -0.035
(6)(RP1F+RP1R)/(RP1F-RP1R)     0.417       0.571       0.500
(7)(RC2F+RC2R)/(RC2F-RC2R)    -7.823      29.563      -6.993
(8)(RC1F+RC1R)/(RC1F-RC1R)     3.669      13.081       3.970
(9)(RNGF+RNGR)/(RNGF-RNGR)     1.005       8.516       1.305
(10)(RP2F+RP2R)/(RP2F-RP2R)    0.370       0.389       0.572
(11)FB/fR                  1.277       1.374       1.358
(A)f/eN1F                   0.484       0.670       0.638
(B)(f/eAS)/Fno             0.55        0.55        0.72
(C)Tair_max/Σd              0.13        0.11        0.15
(D)(RF1F+RF1R)/(RF1F-RF1R)      -           -           -
(E)MF1/f                    -           -           -
(F)MF2/MF1                   -           -           -
(G)fF1/fF2                   -           -           -
(H)βF1/βF2                 -           -           -
条件式           実施例１０  実施例１１  実施例１２
(1)M4#3G/M4#4G               63.645      24.404      11.613
(2)(RN1F+RN1R)/(RN1F-RN1R)     2.075       2.316       2.281
(3)(R3GF+R3GR)/(R3GF-R3GR)     1.565       1.134       0.779
(4)f3G/f4G                 -1.538      -1.335      -1.713
(5)(RNGR+RC2F)/(RNGR-RC2F)    -0.065      -0.159      -0.228
(6)(RP1F+RP1R)/(RP1F-RP1R)     0.179       0.282       0.275
(7)(RC2F+RC2R)/(RC2F-RC2R)    -7.148      -4.471      -9.888
(8)(RC1F+RC1R)/(RC1F-RC1R)     8.863       6.410       5.280
(9)(RNGF+RNGR)/(RNGF-RNGR)     3.193       2.158       2.158
(10)(RP2F+RP2R)/(RP2F-RP2R)    0.195       0.294       0.313
(11)FB/fR                  1.593       1.389       1.483
(A)f/eN1F                   0.535       0.292       0.294
(B)(f/eAS)/Fno             0.63        0.43        0.44
(C)Tair_max/Σd              0.13        0.10        0.10
(D)(RF1F+RF1R)/(RF1F-RF1R)      -           -           -
(E)MF1/f                    -           -           -
(F)MF2/MF1                   -           -           -
(G)fF1/fF2                   -           -           -
(H)βF1/βF2                 -           -           -
条件式           実施例１３  実施例１４  実施例１５
(1)M4#3G/M4#4G               18.221      14.28       12.75
(2)(RN1F+RN1R)/(RN1F-RN1R)     1.630       1.441       2.528
(3)(R3GF+R3GR)/(R3GF-R3GR)     0.362       1.906425    2.061199
(4)f3G/f4G                 -1.318      -1.66       -1.70
(5)(RNGR+RC2F)/(RNGR-RC2F)    -0.085      -0.142      -0.142
(6)(RP1F+RP1R)/(RP1F-RP1R)     0.503       0.493       0.521
(7)(RC2F+RC2R)/(RC2F-RC2R)   -20.450      -4.352      -4.072
(8)(RC1F+RC1R)/(RC1F-RC1R)     1.429       2.969       3.854
(9)(RNGF+RNGR)/(RNGF-RNGR)     1.862       1.357       2.263
(10)(RP2F+RP2R)/(RP2F-RP2R)    0.333       0.227       0.256
(11)FB/fR                  1.613       1.48548     1.473651
(A)f/eN1F                   0.384       0.408       0.434
(B)(f/eAS)/Fno             0.43        0.48        0.48
(C)Tair_max/Σd              0.11        0.12        0.12
(D)(RF1F+RF1R)/(RF1F-RF1R)      -           -           -
(E)MF1/f                    -         -0.10979    -0.21327
(F)MF2/MF1                   -          0.67446     0.335847
(G)fF1/fF2                   -         -1.93581    -1.99379
(H)βF1/βF2                 -         15.99804    14.3338
条件式           実施例１６  実施例１７  実施例１８
(1)M4#3G/M4#4G               11.40       27.78       11.87
(2)(RN1F+RN1R)/(RN1F-RN1R)     1.920       1.885       2.277
(3)(R3GF+R3GR)/(R3GF-R3GR)     2.279022    0.925135    2.168831
(4)f3G/f4G                 -1.65       -1.58       -1.67
(5)(RNGR+RC2F)/(RNGR-RC2F)    -0.032       0.038      -0.102
(6)(RP1F+RP1R)/(RP1F-RP1R)     0.476       0.350       0.521
(7)(RC2F+RC2R)/(RC2F-RC2R)    -4.342      -4.754      -4.363
(8)(RC1F+RC1R)/(RC1F-RC1R)     2.195       2.808       1.809
(9)(RNGF+RNGR)/(RNGF-RNGR)     1.970       1.878       1.983
(10)(RP2F+RP2R)/(RP2F-RP2R)     -          0.158       0.261418
(11)FB/fR                  1.526641    1.443658    1.430832
(A)f/eN1F                   0.417       0.398       0.397
(B)(f/eAS)/Fno             0.48        0.49        0.48
(C)Tair_max/Σd              0.10        0.09        0.10
(D)(RF1F+RF1R)/(RF1F-RF1R)      -           -           -
(E)MF1/f                  -0.15693    -0.10074    -0.17413
(F)MF2/MF1                  0.010212    0.817175    0.386393
(G)fF1/fF2                 -1.89977    -1.86532    -2.06692
(H)βF1/βF2               12.60128    31.81157    13.80481
条件式           実施例１９  実施例２０
(1)M4#3G/M4#4G               19.63       23.39
(2)(RN1F+RN1R)/(RN1F-RN1R)     2.219       2.224
(3)(R3GF+R3GR)/(R3GF-R3GR)     2.258439    2.164926
(4)f3G/f4G                 -1.74       -1.62
(5)(RNGR+RC2F)/(RNGR-RC2F)     0.150       0.097
(6)(RP1F+RP1R)/(RP1F-RP1R)     0.818       0.686
(7)(RC2F+RC2R)/(RC2F-RC2R)    -4.472      -4.534
(8)(RC1F+RC1R)/(RC1F-RC1R)     3.581       3.155
(9)(RNGF+RNGR)/(RNGF-RNGR)     2.518       2.431
(10)(RP2F+RP2R)/(RP2F-RP2R)    0.200       0.154096
(11)FB/fR                  1.5411      1.488454
(A)f/eN1F                   0.421       0.416
(B)(f/eAS)/Fno             0.52        0.53
(C)Tair_max/Σd              0.12        0.11
(D)(RF1F+RF1R)/(RF1F-RF1R)      -           -
(E)MF1/f                  -0.23714    -0.22889
(F)MF2/MF1                  0.212545    0.108066
(G)fF1/fF2                 -1.52664    -1.76011
(H)βF1/βF2               17.80602    24.91853
【０３６７】
本実施形態の光学装置としては、例えば、撮像装置や投影装置がある。以下、撮像装置と投影装置の具体例を説明する。
【０３６８】
図１４は、撮像装置としての一眼ミラーレスカメラの断面図である。図１４において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０３６９】
そして、一眼ミラーレスカメラ１の撮影光学系２として、例えば上記実施例１〜２０に示した結像光学系が用いられる。
【０３７０】
図１５、図１６は、撮像装置の構成の概念図を示す。図１５は撮像装置としての一眼ミラーレスカメラ４０の外観を示す前方斜視図、図１６は同後方斜視図である。この一眼ミラーレスカメラ４０の撮影光学系４１に、上記実施例１〜２０に示した結像光学系が用いられている。
【０３７１】
この実施形態の一眼ミラーレスカメラ４０は、撮影用光路４２上に位置する撮影光学系４１、シャッターボタン４５、液晶表示モニター４７等を含み、一眼ミラーレスカメラ４０の上部に配置されたシャッターボタン４５を押圧すると、それに連動して撮影光学系４１、例えば実施例１の結像光学系を通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０３７２】
図１７は、一眼ミラーレスカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０３７３】
図１７に示すように、一眼ミラーレスカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０３７４】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０３７５】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、一眼ミラーレスカメラ４０全体を制御する。
【０３７６】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０３７７】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０３７８】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０３７９】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０３８０】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０３８１】
このように構成された一眼ミラーレスカメラ４０では、撮影光学系４１として本発明の結像光学系を採用することで、広い撮影範囲を、低ノイズ、高解像度で撮像することができる。なお、本発明の結像光学系は、クイックリターンミラーを持つタイプの撮像装置にも用いることができる。
【０３８２】
図１８は、投影装置としてのプロジェクタの断面図である。図１８に示すように、プロジェクタ１００は、光源部１１０と、照明部１２０と、画像形成部１３０と、投射部１４０と、を有する。
【０３８３】
光源部１１０は、光源１１１と反射部材１１２とを有する。光源１１１からは照明光が出射する。照明光は白色光である。照明光は反射部材１１２で反射され、照明部１２０に入射する。
【０３８４】
照明部１２０は、第１のダイクロイックミラー１２１と、第２のダイクロイックミラー１２２と、第３のダイクロイックミラー１２３と、第１の反射部材１２４と、第２の反射部材１２５と、を有する。
【０３８５】
第１のダイクロイックミラー１２１では、赤色の波長域の光（以下、「赤色光」という）が透過され、それ以外の波長域の光は反射される。第２のダイクロイックミラー１２２では、緑色の波長域の光（以下、「緑色光」という）が反射され、それ以外の波長域の光は透過される。第３のダイクロイックミラー１２３では、青色の波長域の光（以下、「青色光」という）が反射され、それ以外の波長域の光は透過される。赤色光、緑色光および青色光は、画像形成部１３０に入射する。なお、第３のダイクロイックミラー１２３の代わりに、通常の平面反射鏡を用いても良い。
【０３８６】
画像形成部１３０は、第１の表示素子１３１と、第２の表示素子１３２と、第３の表示素子１３３と、を有する。
【０３８７】
第１の表示素子１３１には、第１の反射部材１２４を介して赤色光が照射される。第２の表示素子１３２には緑色光が照射される。第３の表示素子１３３には、第２の反射部材１２５を介して青色光が照射される。
【０３８８】
ここで、第１の表示素子１３１、第２の表示素子１３２及び第３の表示素子１３３には、同じ画像が表示されている。よって、第１の表示素子１３１では赤色の画像が表示され、第２の表示素子１３２では緑色の画像が表示され、第３の表示素子１３３では青色の画像が表示される。
【０３８９】
第１の表示素子１３１、第２の表示素子１３２及び第３の表示素子１３３から出射した光は、投射部１４０に入射する。
【０３９０】
投射部１４０は、ダイクロイックプリズム１４１と、投影光学系１４２と、を有する。
【０３９１】
第１の表示素子１３１、第２の表示素子１３２及び第３の表示素子１３３から出射した光は、ダイクロイックプリズム１４１で合成される。上述のように、画像形成部１３０では、赤色の画像、緑色の画像及び青色の画像が表示されている。ダイクロイックプリズム１４１によって、３つの画像が合成される。
【０３９２】
投影光学系１４２は、合成された３つの画像を所定の位置に投影する。この投影光学系１４２に、例えば上記実施例１〜２０に示した結像光学系が用いられている。
【０３９３】
なお、画像形成部１３０は、ＤＭＤ（デジタルミラーデバイス）等のライトバルブとしても良い。この場合、光源部１１０からの光をライトバルブで反射させ、ライトバルブからの画像を、投射部１４０にて拡大投影するように構成すれば良い。
【０３９４】
このように構成されたプロジェクタ１００では、投影光学系１４２として本発明の結像光学系を採用することで、広い投影範囲に、低ノイズ、高解像度で像を投影することができる。
【産業上の利用可能性】
【０３９５】
以上のように、本発明に係る結像光学系は、広い画角と小さいＦナンバーを有しながらも、諸収差が良好に補正された結像光学系に適している。また、本発明に係る光学装置は、広い撮影範囲を、低ノイズ、高解像度で撮像する撮像装置や、広い投影範囲に、低ノイズ、高解像度で像を投影する投影装置に適している。
【符号の説明】
【０３９６】
Ｇ１  第１レンズ群
Ｇ２  第２レンズ群
Ｇ３  第３レンズ群
Ｇ４  第４レンズ群
Ｓ  明るさ（開口）絞り
Ｉ  像面
１  一眼ミラーレスカメラ
２  撮影光学系
３  鏡筒のマウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  一眼ミラーレスカメラ
４１  撮影光学系
４２  撮影用光路
４５  シャッターボタン
４７  液晶表示モニター
４９  ＣＣＤ
１００  プロジェクタ
１１０  光源部
１１１  光源
１１２  反射部材
１２０  照明部
１２１  第１のダイクロイックミラー
１２２  第２のダイクロイックミラー
１２３  第３のダイクロイックミラー
１２４  第１の反射部材
１２５  第２の反射部材
１３０  画像形成部
１３１  第１の表示素子
１３２  第２の表示素子
１３３  第３の表示素子
１４０  投射部
１４１  ダイクロイックプリズム
１４２  投影光学系
【図１】
0006523289.tif 000002
【図２】
0006523289.tif 000003
【図３】
0006523289.tif 000004
【図４】
0006523289.tif 000005
【図５】
0006523289.tif 000006
【図６】
0006523289.tif 000007
【図７】
0006523289.tif 000008
【図８】
0006523289.tif 000009
【図９】
0006523289.tif 000010
【図１０】
0006523289.tif 000011
【図１１】
0006523289.tif 000012
【図１２】
0006523289.tif 000013
【図１３】
0006523289.tif 000014
【図１４】
0006523289.tif 000015
【図１５】
0006523289.tif 000016
【図１６】
0006523289.tif 000017
【図１７】
0006523289.tif 000018
【図１８】
0006523289.tif 000019
【図１９】
0006523289.tif 000020
【図２０】
0006523289.tif 000021
【図２１】
0006523289.tif 000022
【図２２】
0006523289.tif 000023
【図２３】
0006523289.tif 000024
【図２４】
0006523289.tif 000025
【図２５】
0006523289.tif 000026